(57)【要約】【課題】  片面画像形成と両面画像形成とを混在させ、記録用紙に対して挿入用紙を挿入する画像形成を実行する際、生産性を低下させない。【解決手段】  原稿を読み取って画像データを生成する機能を有する画像読み取り手段と、複数のトレイのいずれかに収納された記録用紙を選択的に給紙して、該記録用紙の両面に前記画像データに応じた画像を形成する機能を有する画像形成手段と、前記記録用紙の両面に画像形成するか、片面に画像形成するか、の指定を受け付ける機能を有する指示入力手段と、前記画像読み取り手段での画像読み取りと前記画像形成手段での画像形成とを制御する制御手段とを備え、前記制御手段は、前記指示入力手段での指定に応じて、１つのジョブとして片面画像形成と両面画像形成とを混在した状態で、読み取りにより得られた画像データについての画像形成を行うように前記画像形成手段を制御する。【選択図】  図１
2006145888.tif 000002
【特許請求の範囲】
【請求項１】
原稿の表面と裏面とが読み取り位置を通過するように原稿を反転搬送する機能を有する原稿搬送手段と、
搬送される前記原稿に読み取り光を照射し、前記原稿からの反射光を受けて画像を読み取って画像データを生成する機能を有する画像読み取り手段と、
複数のトレイのいずれかに収納された記録用紙を選択的に給紙して、該記録用紙の両面に前記画像データに応じた画像を形成する機能を有する画像形成手段と、
前記記録用紙の両面に画像形成するか、片面に画像形成するか、の指定を受け付ける機能を有する指示入力手段と、
前記画像読み取り手段での画像読み取りと前記画像形成手段での画像形成とを制御する制御手段とを備え、
前記制御手段は、前記指示入力手段での指定に応じて、１つのジョブとして片面画像形成と両面画像形成とを混在した状態で、読み取りにより得られた画像データについての画像形成を行うように前記画像形成手段を制御する、
ことを特徴とする画像形成装置。
【請求項２】
前記制御手段は、前記指示入力手段での指定に応じて、１つのジョブとして片面読み取りと両面読み取りとを混在した状態の原稿読み取りを行うように前記画像読み取り手段を制御する、
ことを特徴とする請求項１記載の画像形成装置。
【請求項３】
前記制御手段は、前記指示入力手段での指定に応じて、１つのジョブとして複数のトレイからの給紙を選択的に切り替えて実行し、読み取りにより得られた画像データについての画像形成を行うように前記画像形成手段を制御する、
ことを特徴とする請求項１または請求項２に記載の画像形成装置。
【請求項４】
原稿を読み取って画像データを生成する画像読み取り手段と、
前記画像データに応じた画像を記録用紙に形成するための画像形成手段と、
前記記録用紙の両面に画像形成するか、片面に画像形成するかの設定の指示を入力するための第１の入力手段と、
前記記録用紙の両面に画像を形成するために前記記録用紙を反転搬送するための反転搬送機構と、
前記記録用紙とは異なる挿入用紙を挿入するインターシートモードの設定指示を入力するための指示入力手段と、
前記挿入用紙の両面に画像形成するか、片面に画像形成するか、または白紙挿入するかの設定の指示を入力するための第２の入力手段と、
前記第１の入力手段により前記記録用紙の両面に画像形成する設定がなされている場合であって、かつ前記第２の入力手段により挿入用紙の片面に画像形成する設定がなされている場合、または、白紙挿入が設定されている場合には、前記反転搬送機構により前記挿入用紙を反転搬送しないように制御する制御手段と、
を有することを特徴とする画像形成装置。
【請求項５】
前記第１の入力手段による指示は、ページ毎に入力可能である、
ことを特徴とする請求項４記載の画像形成装置。
【請求項６】
前記第２の入力手段は、挿入用紙の種類に応じて、前記挿入用紙の片面に画像形成する設定、または白紙挿入設定の指示を入力する、
ことを特徴とする請求項４又は請求項５に記載の画像形成装置。
【請求項７】
前記挿入用紙の種類は、プリプリント済みの用紙、厚紙、または、タブ紙、の少なくとも一つである、
ことを特徴とする請求項６記載の画像形成装置。
【請求項８】
原稿の表面と裏面とが読み取り位置を通過するように前記原稿を反転搬送する機能を有する原稿搬送手段と、
搬送される前記原稿を読み取って画像データを生成する画像読み取り手段と、
を有し、
前記制御手段は、前記第２の入力手段による入力に応じて、前記挿入用紙に対応する原稿を反転搬送するか否かを決定する、
ことを特徴とする請求項４乃至請求項７のいずれかに記載の画像形成装置。
【請求項９】
前記制御手段は、前記挿入用紙が片面設定の場合には、その挿入用紙に対応する原稿の読み取りも片面読み取りに制御する、
ことを特徴とする請求項８記載の画像形成装置。
【請求項１０】
各種表示を行う表示手段を備え、
前記制御手段は、両面画像形成中に含める片面画像形成についての指定、両面画像形成中に含める片面画像形成の際の記録用紙のトレイについての指定、両面原稿読み取り中に含める片面原稿読み取りについての指定、の選択を前記指示入力手段に入力するよう促す表示を行わせ、
前記指定の入力に応じて、両面画像形成中に含める片面画像形成、両面画像形成中に含める片面画像形成の際の指定された記録用紙のトレイからの給紙、両面原稿読み取り中に含める片面原稿読み取り、を実行するように制御する、
ことを特徴とする請求項１記載の画像形成装置。
【請求項１１】
複数のトレイのいずれかに収納された記録用紙を選択的に給紙して、該記録用紙の両面に前記画像データに応じた画像を形成する機能を有する画像形成手段と、
画像形成に使用される記録用紙とは異なる挿入用紙を挿入するインターシートモードの設定の指示を入力するための指示入力手段と、
各種表示を行う表示手段と、
前記画像形成手段での画像形成を制御する制御手段とを備え、
前記制御手段は、インターシートモード時には記録用紙への画像形成中に挿入する前記挿入用紙についての片面／両面画像形成についての指定の選択を前記指示入力手段に入力するよう促す表示を行わせ、前記指示入力手段での指定に応じて、１つのジョブとして、前記記録用紙への画像形成と前記挿入用紙への画像形成とを行うように前記画像形成手段を制御する、
ことを特徴とする画像形成装置。
【請求項１２】
複数のトレイのいずれかに収納された記録用紙を選択的に給紙して、該記録用紙の両面に前記画像データに応じた画像を形成する機能を有する画像形成手段と、
画像形成に使用される記録用紙とは異なる挿入用紙を挿入するインターシートモードの設定の指示を入力するための指示入力手段と、
各種表示を行う表示手段と、
前記画像形成手段での画像形成を制御する制御手段とを備え、
前記制御手段は、前記指示入力手段によるインターシートモードの設定の指示の入力に応じて、挿入用紙の片面に画像形成を行うか、または両面に画像形成を行うかについての指定を促す表示を行わせる、
ことを特徴とする画像形成システム。
【請求項１３】
挿入用紙のタブを検知するタブ検知手段を備え、
前記制御手段は、前記タブ検知手段での検知結果に応じて、前記挿入用紙への画像形成を片面画像形成にするように前記画像形成手段を制御する、
ことを特徴とする請求項１２記載の画像形成システム。
【請求項１４】
前記挿入用紙片面に画像形成を行うか、または両面に画像形成を行うか、あるいは白紙挿入するかについての指定の指示を入力するための指示入力手段を有し、
前記指示入力手段による入力に応じて、前記挿入用紙への画像形成を行う、
ことを特徴とする請求項１２または請求項１３に記載の画像形成システム。
【発明の詳細な説明】
【技術分野】
【０００１】
本発明は、読み取ってた画像データあるいは外部からの画像データに応じて画像形成を実行する画像形成装置及び画像形成システムに関し、特に、画像形成に使用される通常の記録用紙とは異なる挿入用紙に画像形成して挿入することが可能な画像形成装置及び画像形成システムに関する。
【背景技術】
【０００２】
原稿を搬送しつつ両面の画像を読み取って画像データを生成し、該画像データに応じて記録用紙の両面に画像形成を行う複写機などの画像形成装置が存在している。
この種の画像形成装置の画像読み取り部（スキャナ）では、主走査方向に複数画素の固体撮像素子などの読み取り素子を有しており、原稿を読み取り素子に対して副走査方向に移動させることで、主走査方向および副走査方向の二次元の読み取りを実行している。なお、このように原稿を搬送しつつ読み取りを行うタイプを、「静止露光流し込みタイプ」あるいは「シートスルータイプ」などと呼ぶが、本願明細書において「シートスルータイプ」と呼ぶことにする。
【０００３】
このシートスルータイプの画像読み取り部を備えた画像形成装置では、光学ミラーや照明ランプを固定した状態で原稿の画像を読み取ることが可能になっているため、複数の原稿を連続して読み取るのに適している。
【０００４】
なお、この種の画像読み取り部では原稿を反転させて両面の画像を読み込むことが可能であり、また、この種の画像形成装置では記録用紙を反転させて両面に画像を形成することが可能に構成されている。
【特許文献１】特開２００２−２２３３３６号公報（第１頁、図１）
【特許文献２】特開２００２−３５９７２０号公報（第１頁、図１）
【発明の開示】
【発明が解決しようとする課題】
【０００５】
以上の特許文献１記載の技術では、読み取られた画像データに対して、出力についてページ単位で片面・両面の指定を可能にし、指定された情報に応じて、片面・両面混在の画像形成出力を行うものである。しかし、画像読み取りに関しては触れられておらず、片面・両面混在の原稿の読み取りは配慮されていない。したがって、効率の良い読み取りを行うことが出来ない問題がある。
【０００６】
たとえば、画像形成出力に白紙を挿入したい場合には、原稿に白紙を挿入する必要がある。また、両面画像形成モードで動作させる場合には、白紙であって画像形成しない挿入用紙であっても両面画像形成経路を通過させる必要があるため、生産性が低下する問題がある。
【０００７】
また、特許文献２記載の技術では、インデックス紙を挿入するインターシートモードが指定され、通常原稿とタブ紙原稿とが混在する場合には、読み込みの際のカウント値を記憶しておき、このカウント値に従って画像形成の給紙を切り替えるようにしている。このようにカウント値を記憶しておくことから、通常原稿とタブ紙原稿とを、複数回に分けて読み込むことが前提となっていると考えられる。
【０００８】
なお、実際の画像形成装置においては、通常の原稿・記録用紙では両面読み取り・両面画像形成が可能であるとしても、タブ紙の場合にはタブの突起部分の関係で片面読み取り・片面画像形成となる。
【０００９】
以上のような既存の画像形成装置では、インターシートモードとしてタブ紙原稿が含まれる原稿の両面複写を行う場合、タブ紙原稿がＮ枚存在していると、タブ紙原稿は連続しないことから、２Ｎ＋１束に分割して、通常原稿とタブ紙原稿とを交互に読み取らせることが可能である。
【００１０】
すなわち、この場合には、１つの連続したジョブではなく、２Ｎ＋１の複数のジョブとして扱うプログラミングジョブとしての動作および制御が必要になっている。このプログラミングジョブの方式では、一括した一部としての読み取りではないため、生産性が犠牲になり、効率が悪いという問題が存在していた。
【００１１】
また、片面原稿・両面原稿を混在させた状態にして、片面画像形成・両面画像形成を混在させることも、配慮されていなかった。すなわち、この場合にも、１つの連続したジョブではなく、複数のジョブとして扱うプログラミングジョブとしての動作および制御が必要になっている。このプログラミングジョブの方式では、一括した一部としての読み取りではないため、生産性が犠牲になり、効率が悪いという問題が存在していた。
【００１２】
そして、以上は複写機の場合であったが、外部からの画像データを受けて画像形成するプリンタなどの画像形成装置の場合には、画像データを生成するアプルケーションプログラムで印刷に関して各種の指定を行うことは可能であったものの、挿入用紙の片面／両面指定の操作性については何ら配慮されていなかった。
【００１３】
本発明は、以上のような課題を解決するためになされたものであって、片面画像形成と両面画像形成とを混在させて実行する際に、記録用紙に対して挿入用紙を挿入する画像形成を実行する際に、束分割読み取りなどによって生産性を低下させることなく効率的に実行することが可能な画像形成装置及び画像形成システムを提供することを目的とする。
【００１４】
また、本発明は、以上のような課題を解決するためになされたものであって、片面画像形成と両面画像形成とを混在させて実行する際に、記録用紙に対して挿入用紙を挿入する画像形成を実行する際に、画像形成面の指定の操作性が良い画像形成装置及び画像形成システムを提供することを目的とする。
【課題を解決するための手段】
【００１５】
以上の課題を解決する本発明は、以下に記載するようなものである。
（１）請求項１記載の発明は、原稿の表面と裏面とが読み取り位置を通過するように原稿を反転搬送する機能を有する原稿搬送手段と、搬送される前記原稿に読み取り光を照射し、前記原稿からの反射光を受けて画像を読み取って画像データを生成する機能を有する画像読み取り手段と、複数のトレイのいずれかに収納された記録用紙を選択的に給紙して、該記録用紙の両面に前記画像データに応じた画像を形成する機能を有する画像形成手段と、前記記録用紙の両面に画像形成するか、片面に画像形成するか、の指定を受け付ける機能を有する指示入力手段と、前記画像読み取り手段での画像読み取りと前記画像形成手段での画像形成とを制御する制御手段とを備え、前記制御手段は、前記指示入力手段での指定に応じて、１つのジョブとして片面画像形成と両面画像形成とを混在した状態で、読み取りにより得られた画像データについての画像形成を行うように前記画像形成手段を制御する、ことを特徴とする画像形成装置である。
【００１６】
この発明では、指示入力手段での指定に応じて、１つのジョブとして片面画像形成と両面画像形成とを混在した状態で、読み取りにより得られた画像データについての画像形成を行うように画像形成手段を制御している。
【００１７】
（２）請求項２記載の発明は、前記制御手段は、前記指示入力手段での指定に応じて、１つのジョブとして片面読み取りと両面読み取りとを混在した状態の原稿読み取りを行うように前記画像読み取り手段を制御する、ことを特徴とする請求項１記載の画像形成装置である。
【００１８】
この発明では、指示入力手段での指定に応じて、１つのジョブとして片面画像形成と両面画像形成とを混在した状態で、読み取りにより得られた画像データについての画像形成を行うように画像形成手段を制御しており、さらに、指示入力手段での指定に応じて、１つのジョブとして片面読み取りと両面読み取りとを混在した状態の原稿読み取りを行うように、画像読み取り手段を制御している。
【００１９】
（３）請求項３記載の発明は、前記制御手段は、前記指示入力手段での指定に応じて、１つのジョブとして複数のトレイからの給紙を選択的に切り替えて実行し、読み取りにより得られた画像データについての画像形成を行うように前記画像形成手段を制御する、ことを特徴とする請求項１または請求項２に記載の画像形成装置である。
【００２０】
この発明では、指示入力手段での指定に応じて、１つのジョブとして片面画像形成と両面画像形成とを混在した状態で、読み取りにより得られた画像データについての画像形成を行うように画像形成手段を制御しており、さらに、指示入力手段での指定に応じて、１つのジョブとして複数のトレイからの給紙を選択的に切り替えて実行し、読み取りにより得られた画像データについての画像形成を行うように画像形成手段を制御している。
【００２１】
また、この発明では、指示入力手段での指定に応じて、１つのジョブとして片面画像形成と両面画像形成とを混在した状態で、読み取りにより得られた画像データについての画像形成を行うように画像形成手段を制御しており、さらに、指示入力手段での指定に応じて、１つのジョブとして片面読み取りと両面読み取りとを混在した状態の原稿読み取りを行うように画像読み取り手段を制御し、これに加えて、指示入力手段での指定に応じて、１つのジョブとして複数のトレイからの給紙を選択的に切り替えて実行し、読み取りにより得られた画像データについての画像形成を行うように画像形成手段を制御している。
【００２２】
（４）請求項４記載の発明は、原稿を読み取って画像データを生成する画像読み取り手段と、前記画像データに応じた画像を記録用紙に形成するための画像形成手段と、前記記録用紙の両面に画像形成するか、片面に画像形成するかの設定の指示を入力するための第１の入力手段と、前記記録用紙の両面に画像を形成するために前記記録用紙を反転搬送するための反転搬送機構と、前記記録用紙とは異なる挿入用紙を挿入するインターシートモードの設定指示を入力するための指示入力手段と、前記挿入用紙の両面に画像形成するか、片面に画像形成するか、または白紙挿入するかの設定の指示を入力するための第２の入力手段と、前記第１の入力手段により前記記録用紙の両面に画像形成する設定がなされている場合であって、かつ前記第２の入力手段により挿入用紙の片面に画像形成する設定がなされている場合、または、白紙挿入が設定されている場合には、前記反転搬送機構により前記挿入用紙を反転搬送しないように制御する制御手段と、を有することを特徴とする画像形成装置である。
【００２３】
この発明では、第１の入力手段により記録用紙の両面に画像形成する設定がなされている場合であって、かつ、第２の入力手段により挿入用紙の片面に画像形成する設定がなされている場合、または、白紙挿入が設定されている場合には、前記反転搬送機構により前記挿入用紙を反転搬送しないように制御して、画像形成を実行する。
【００２４】
（５）請求項５記載の発明は、前記第１の入力手段による指示は、ページ毎に入力可能である、ことを特徴とする請求項４記載の画像形成装置である。
この発明では、第１の入力手段により記録用紙の両面に画像形成する設定がなされている場合であって、かつ、第２の入力手段により挿入用紙の片面に画像形成する設定がなされている場合、または、白紙挿入が設定されている場合には、前記反転搬送機構により前記挿入用紙を反転搬送しないように制御して画像形成を実行しており、この際、第１の入力手段による指示は、ページ毎に入力可能である。
【００２５】
（６）請求項６記載の発明は、前記第２の入力手段は、挿入用紙の種類に応じて、前記挿入用紙の片面に画像形成する設定、または白紙挿入設定の指示を入力する、ことを特徴とする請求項４又は請求項５に記載の画像形成装置である。
【００２６】
この発明では、第１の入力手段により記録用紙の両面に画像形成する設定がなされている場合であって、かつ、第２の入力手段により挿入用紙の片面に画像形成する設定がなされている場合、または、白紙挿入が設定されている場合には、前記反転搬送機構により前記挿入用紙を反転搬送しないように制御して画像形成を実行しており、この際に、第２の入力手段は、挿入用紙の種類に応じて、挿入用紙の片面に画像形成する設定、または白紙挿入設定の指示を入力する。
【００２７】
（７）請求項７記載の発明は、前記挿入用紙の種類は、プリプリント済みの用紙、厚紙、または、タブ紙、の少なくとも一つである、ことを特徴とする請求項６記載の画像形成装置である。
【００２８】
この発明では、第１の入力手段により記録用紙の両面に画像形成する設定がなされている場合であって、かつ、第２の入力手段により挿入用紙の片面に画像形成する設定がなされている場合、または、白紙挿入が設定されている場合には、前記反転搬送機構により前記挿入用紙を反転搬送しないように制御して画像形成を実行しており、この際に、第２の入力手段は、挿入用紙の種類（プリプリント済みの用紙、厚紙、または、タブ紙、の少なくとも一つ）に応じて、挿入用紙の片面に画像形成する設定、または白紙挿入設定の指示を入力する。
【００２９】
（８）請求項８記載の発明は、原稿の表面と裏面とが読み取り位置を通過するように前記原稿を反転搬送する機能を有する原稿搬送手段と、搬送される前記原稿を読み取って画像データを生成する画像読み取り手段と、を有し、前記制御手段は、前記第２の入力手段による入力に応じて、前記挿入用紙に対応する原稿を反転搬送するか否かを決定する、ことを特徴とする請求項４乃至請求項７のいずれかに記載の画像形成装置である。
【００３０】
この発明では、第１の入力手段により記録用紙の両面に画像形成する設定がなされている場合であって、かつ、第２の入力手段により挿入用紙の片面に画像形成する設定がなされている場合、または、白紙挿入が設定されている場合には、前記反転搬送機構により前記挿入用紙を反転搬送しないように制御して画像形成を実行しており、この際に、第２の入力手段による入力に応じて、挿入用紙に対応する原稿を反転搬送するか否かを決定する。
【００３１】
（９）請求項９記載の発明は、前記制御手段は、前記挿入用紙が片面設定の場合には、その挿入用紙に対応する原稿の読み取りも片面読み取りに制御する、ことを特徴とする請求項８記載の画像形成装置である。
【００３２】
この発明では、第１の入力手段により記録用紙の両面に画像形成する設定がなされている場合であって、かつ、第２の入力手段により挿入用紙の片面に画像形成する設定がなされている場合、または、白紙挿入が設定されている場合には、前記反転搬送機構により前記挿入用紙を反転搬送しないように制御して画像形成を実行しており、この際に、第２の入力手段による入力に応じて、挿入用紙に対応する原稿を反転搬送するか否かを決定し、ここで、挿入用紙が片面設定の場合には、その挿入用紙に対応する原稿の読み取りも片面読み取りに制御する。
【００３３】
（１０）請求項１０記載の発明は、各種表示を行う表示手段を備え、前記制御手段は、両面画像形成中に含める片面画像形成についての指定、両面画像形成中に含める片面画像形成の際の記録用紙のトレイについての指定、両面原稿読み取り中に含める片面原稿読み取りについての指定、の選択を前記指示入力手段に入力するよう促す表示を行わせ、前記指定の入力に応じて、両面画像形成中に含める片面画像形成、両面画像形成中に含める片面画像形成の際の指定された記録用紙のトレイからの給紙、両面原稿読み取り中に含める片面原稿読み取り、を実行するように制御する、ことを特徴とする請求項１記載の画像形成装置である。
【００３４】
この発明では、指示入力手段での指定に応じて、１つのジョブとして片面画像形成と両面画像形成とを混在した状態で、読み取りにより得られた画像データについての画像形成を行うように画像形成手段を制御しており、さらに、両面画像形成中に含める片面画像形成についての指定、両面画像形成中に含める片面画像形成の際の記録用紙のトレイについての指定、両面原稿読み取り中に含める片面原稿読み取りについての指定、の選択を指示入力手段に入力するよう促す表示を行い、該指定の入力がなされると、両面画像形成中に含める片面画像形成、両面画像形成中に含める片面画像形成の際の指定された記録用紙のトレイからの給紙、両面原稿読み取り中に含める片面原稿読み取り、を実行するように制御している。
【００３５】
（１１）請求項１１記載の発明は、複数のトレイのいずれかに収納された記録用紙を選択的に給紙して、該記録用紙の両面に前記画像データに応じた画像を形成する機能を有する画像形成手段と、画像形成に使用される記録用紙とは異なる挿入用紙を挿入するインターシートモードの設定の指示を入力するための指示入力手段と、各種表示を行う表示手段と、前記画像形成手段での画像形成を制御する制御手段とを備え、前記制御手段は、インターシートモード時には記録用紙への画像形成中に挿入する前記挿入用紙についての片面／両面画像形成についての指定の選択を前記指示入力手段に入力するよう促す表示を行わせ、前記指示入力手段での指定に応じて、１つのジョブとして、前記記録用紙への画像形成と前記挿入用紙への画像形成とを行うように前記画像形成手段を制御する、ことを特徴とする画像形成装置である。
【００３６】
この発明では、インターシートモード時には記録用紙への画像形成中に挿入する挿入用紙についての片面／両面画像形成についての指定の選択を指示入力手段に入力するよう促す表示を行わせ、指示入力手段での指定に応じて、１つのジョブとして、記録用紙への画像形成と挿入用紙への画像形成とを行うように画像形成手段を制御する。
【００３７】
（１２）請求項１２記載の発明は、複数のトレイのいずれかに収納された記録用紙を選択的に給紙して、該記録用紙の両面に前記画像データに応じた画像を形成する機能を有する画像形成手段と、画像形成に使用される記録用紙とは異なる挿入用紙を挿入するインターシートモードの設定の指示を入力するための指示入力手段と、各種表示を行う表示手段と、前記画像形成手段での画像形成を制御する制御手段とを備え、前記制御手段は、前記指示入力手段によるインターシートモードの設定の指示の入力に応じて、挿入用紙の片面に画像形成を行うか、または両面に画像形成を行うかについての指定を促す表示を行わせる、ことを特徴とする画像形成システムである。
【００３８】
この発明では、指示入力手段によるインターシートモードの設定の指示の入力に応じて、挿入用紙の片面に画像形成を行うか、または両面に画像形成を行うかについての指定を促す表示を行わせ、該指定の選択が入力されると、１つのジョブとして、記録用紙への画像形成と挿入用紙への画像形成とを行うように画像形成手段を制御している。
【００３９】
（１３）請求項１３記載の発明は、挿入用紙のタブを検知するタブ検知手段を備え、前記制御手段は、前記タブ検知手段での検知結果に応じて、前記挿入用紙への画像形成を片面画像形成にするように前記画像形成手段を制御する、ことを特徴とする請求項１２記載の画像形成システムである。
【００４０】
この発明では、記録用紙への画像形成中に挿入する挿入用紙についての片面／両面画像形成についての指定の選択を入力するよう促す表示を行い、該指定の選択が入力されると、１つのジョブとして、記録用紙への画像形成と挿入用紙への画像形成とを行うように画像形成手段を制御しており、この際に、タブ検知手段での検知結果に応じて、挿入用紙への画像形成を片面画像形成にするように画像形成手段を制御している。
【００４１】
（１４）請求項１４記載の発明は、前記挿入用紙片面に画像形成を行うか、または両面に画像形成を行うか、あるいは白紙挿入するかについての指定の指示を入力するための指示入力手段を有し、前記指示入力手段による入力に応じて、前記挿入用紙への画像形成を行う、ことを特徴とする請求項１２または請求項１３に記載の画像形成システムである。
【００４２】
この発明では、記録用紙への画像形成中に挿入する挿入用紙についての片面／両面画像形成／白紙挿入についての指定の選択を入力するよう促す表示を行い、該指定の選択が入力されると、１つのジョブとして、記録用紙への画像形成と挿入用紙への画像形成とを行うように画像形成手段を制御しており、この際に、挿入用紙片面に画像形成を行うか、または両面に画像形成を行うか、あるいは白紙挿入するかについての指定の指示に応じて、挿入用紙への画像形成を行う。
【発明の効果】
【００４３】
（１）請求項１記載の発明では、読み取りにより得られた画像データについての画像形成が、指示入力手段での指定に応じて、１つのジョブとして片面画像形成と両面画像形成とを混在した状態で実行される。
【００４４】
このため、片面画像形成と両面画像形成とを混在して実行する際に、複数のジョブとして扱うプログラミングジョブとしての動作および制御が不要になり、一括した一部としての読み取りと画像形成とで実行できる。この結果、片面画像形成と両面画像形成とを混在させて実行する際に、束分割読み取りなどによって生産性を低下させることなく効率的に実行することが可能になる。
【００４５】
（２）請求項２記載の発明では、指示入力手段での指定に応じて、１つのジョブとして片面読み取りと両面読み取りとを混在した状態の原稿読み取りを行うように制御され、読み取りにより得られた画像データについての画像形成が、１つのジョブとして片面画像形成と両面画像形成とを混在した状態で実行される。
【００４６】
このため、片面読み取り／両面読み取り、片面画像形成／両面画像形成、を混在して実行する際に、複数のジョブとして扱うプログラミングジョブとしての動作および制御が不要になり、一括した一部としての読み取りと画像形成とで実行できる。この結果、片面読み取り／両面読み取り、片面画像形成／両面画像形成を混在させて実行する際に、束分割読み取りなどによって生産性を低下させることなく効率的に実行することが可能になる。
【００４７】
（３−１）請求項３記載の発明では、読み取りにより得られた画像データについての画像形成が、指示入力手段での指定に応じて、複数のトレイからの給紙が選択的に切り替えられつつ、１つのジョブとして片面画像形成と両面画像形成とを混在した状態で実行される。
【００４８】
このため、複数のトレイからの給紙を伴う片面画像形成と両面画像形成とを混在して実行する際に、複数のジョブとして扱うプログラミングジョブとしての動作および制御が不要になり、一括した一部としての読み取りと画像形成とで実行できる。この結果、片面画像形成と両面画像形成とを混在させて実行する際に、束分割読み取りなどによって生産性を低下させることなく効率的に実行することが可能になる。
【００４９】
（３−２）また、請求項３記載の発明では、指示入力手段での指定に応じて、１つのジョブとして片面読み取りと両面読み取りとを混在した状態の原稿読み取りを行うように制御され、読み取りにより得られた画像データについての画像形成が、複数のトレイからの給紙が選択的に切り替えられつつ、１つのジョブとして片面画像形成と両面画像形成とを混在した状態で実行される。
【００５０】
このため、片面読み取り／両面読み取り、複数のトレイからの給紙を伴う片面画像形成／両面画像形成、を混在して実行する際に、複数のジョブとして扱うプログラミングジョブとしての動作および制御が不要になり、一括した一部としての読み取りと画像形成とで実行できる。この結果、片面読み取り／両面読み取り、片面画像形成／両面画像形成を混在させて実行する際に、束分割読み取りなどによって生産性を低下させることなく効率的に実行することが可能になる。
【００５１】
（４）請求項４記載の発明では、第１の入力手段により記録用紙の両面に画像形成する設定がなされている場合であって、かつ、第２の入力手段により挿入用紙の片面に画像形成する設定がなされている場合、または、白紙挿入が設定されている場合には、前記反転搬送機構により前記挿入用紙を反転搬送しないように制御して、画像形成を実行する。
【００５２】
このため、片面画像形成と両面画像形成とを混在して実行する際に、複数のジョブとして扱うプログラミングジョブとしての動作および制御が不要になり、一括した一部としての読み取りと画像形成とで実行できる。この結果、片面画像形成と両面画像形成とを混在させて実行する際に、束分割読み取りなどによって生産性を低下させることなく効率的に実行することが可能になる。
【００５３】
（５）請求項５記載の発明では、第１の入力手段により記録用紙の両面に画像形成する設定がなされている場合であって、かつ、第２の入力手段により挿入用紙の片面に画像形成する設定がなされている場合、または、白紙挿入が設定されている場合には、前記反転搬送機構により前記挿入用紙を反転搬送しないように制御して画像形成を実行しており、この際、第１の入力手段による指示は、ページ毎に入力可能である。
【００５４】
この場合、片面画像形成と、ページ毎に設定可能な両面画像形成とを混在して実行する際に、複数のジョブとして扱うプログラミングジョブとしての動作および制御が不要になり、一括した一部としての読み取りと画像形成とで実行できる。この結果、片面画像形成と両面画像形成とを混在させて実行する際に、束分割読み取りなどによって生産性を低下させることなく効率的に実行することが可能になる。
【００５５】
（６）請求項６記載の発明では、第１の入力手段により記録用紙の両面に画像形成する設定がなされている場合であって、かつ、第２の入力手段により挿入用紙の片面に画像形成する設定がなされている場合、または、白紙挿入が設定されている場合には、前記反転搬送機構により前記挿入用紙を反転搬送しないように制御して画像形成を実行しており、この際に、第２の入力手段は、挿入用紙の種類に応じて、挿入用紙の片面に画像形成する設定、または白紙挿入設定の指示を入力する。
【００５６】
この場合、種類に応じた挿入用紙の片面画像形成と、両面画像形成とを混在して実行する際に、複数のジョブとして扱うプログラミングジョブとしての動作および制御が不要になり、一括した一部としての読み取りと画像形成とで実行できる。この結果、片面画像形成と両面画像形成とを混在させて実行する際に、束分割読み取りなどによって生産性を低下させることなく効率的に実行することが可能になる。
【００５７】
（７）請求項７記載の発明では、第１の入力手段により記録用紙の両面に画像形成する設定がなされている場合であって、かつ、第２の入力手段により挿入用紙の片面に画像形成する設定がなされている場合、または、白紙挿入が設定されている場合には、前記反転搬送機構により前記挿入用紙を反転搬送しないように制御して画像形成を実行しており、この際に、第２の入力手段は、挿入用紙の種類（プリプリント済みの用紙、厚紙、または、タブ紙、の少なくとも一つ）に応じて、挿入用紙の片面に画像形成する設定、または白紙挿入設定の指示を入力する。
【００５８】
この場合、各種の種類に応じた挿入用紙の片面画像形成と、両面画像形成とを混在して実行する際に、複数のジョブとして扱うプログラミングジョブとしての動作および制御が不要になり、一括した一部としての読み取りと画像形成とで実行できる。この結果、片面画像形成と両面画像形成とを混在させて実行する際に、束分割読み取りなどによって生産性を低下させることなく効率的に実行することが可能になる。
【００５９】
（８）請求項８記載の発明では、第１の入力手段により記録用紙の両面に画像形成する設定がなされている場合であって、かつ、第２の入力手段により挿入用紙の片面に画像形成する設定がなされている場合、または、白紙挿入が設定されている場合には、前記反転搬送機構により前記挿入用紙を反転搬送しないように制御して画像形成を実行しており、この際に、第２の入力手段による入力に応じて、挿入用紙に対応する原稿を反転搬送するか否かを決定する。
【００６０】
この場合、挿入用紙の片面に画像形成する設定、または、白紙挿入の設定がされて、片面画像形成と、両面画像形成とを混在して実行する際に、複数のジョブとして扱うプログラミングジョブとしての動作および制御が不要になり、一括した一部としての読み取りと画像形成とで実行できる。この結果、片面画像形成と両面画像形成とを混在させて実行する際に、束分割読み取りなどによって生産性を低下させることなく効率的に実行することが可能になる。
【００６１】
（９）請求項９記載の発明では、第１の入力手段により記録用紙の両面に画像形成する設定がなされている場合であって、かつ、第２の入力手段により挿入用紙の片面に画像形成する設定がなされている場合、または、白紙挿入が設定されている場合には、前記反転搬送機構により前記挿入用紙を反転搬送しないように制御して画像形成を実行しており、この際に、第２の入力手段による入力に応じて、挿入用紙に対応する原稿を反転搬送するか否かを決定し、ここで、挿入用紙が片面設定の場合には、その挿入用紙に対応する原稿の読み取りも片面読み取りに制御する。
【００６２】
この場合、挿入用紙の片面に画像形成する設定がされて、片面画像形成と、両面画像形成とを混在して実行する際に、複数のジョブとして扱うプログラミングジョブとしての動作および制御が不要になり、一括した一部としての読み取りと画像形成とで実行できる。この結果、片面画像形成と両面画像形成とを混在させて実行する際に、束分割読み取りなどによって生産性を低下させることなく効率的に実行することが可能になる。
【００６３】
（１０）請求項１０記載の発明では、両面画像形成中に含める片面画像形成についての指定、両面画像形成中に含める片面画像形成の際の記録用紙のトレイについての指定、両面原稿読み取り中に含める片面原稿読み取りについての指定、の選択を指示入力手段に入力するよう促す表示を行っており、以上の表示に応じた指定の入力がなされると、両面画像形成中に含める片面画像形成、両面画像形成中に含める片面画像形成の際の指定された記録用紙のトレイからの給紙、両面原稿読み取り中に含める片面原稿読み取り、を実行するように制御している。
【００６４】
このため、片面読み取り／両面読み取り、複数のトレイからの給紙を伴う片面画像形成／両面画像形成、を混在して実行する際に、複数のジョブとして扱うプログラミングジョブとしての動作および制御が不要になり、一括した一部としての読み取りと画像形成とで実行できる。この結果、片面読み取り／両面読み取り、片面画像形成／両面画像形成を混在させて実行する際に、束分割読み取りなどによって生産性を低下させることなく効率的に実行することが可能になる。
【００６５】
（１１）請求項１１記載の発明では、インターシートモード時には、記録用紙への画像形成中に挿入する挿入用紙についての片面／両面画像形成についての指定の選択を指示入力手段に入力するよう促す表示を行わせ、指示入力手段での指定に応じて、１つのジョブとして、記録用紙への画像形成と挿入用紙への画像形成とを行うように画像形成手段を制御する。
【００６６】
このため、インターシートモード時の挿入用紙について片面画像形成／両面画像形成についての指定の選択が入力され、１つのジョブとして記録用紙への画像形成と挿入用紙への画像形成とが実行されるため、画像形成面の指定の操作性が良好になる。
【００６７】
（１２）請求項１２記載の発明では、指示入力手段によるインターシートモードの設定の指示の入力に応じて、挿入用紙の片面に画像形成を行うか、または両面に画像形成を行うかについての指定を促す表示を行わせ、該指定の選択が入力されると、１つのジョブとして、記録用紙への画像形成と挿入用紙への画像形成とを行うように画像形成手段を制御している。
【００６８】
このため、インターシートモード時の挿入用紙について片面画像形成／両面画像形成についての指定の選択が入力され、１つのジョブとして記録用紙への画像形成と挿入用紙への画像形成とが実行されるため、画像形成面の指定の操作性が良好になる。
【００６９】
（１３）請求項１３記載の発明では、インターシートモード時には、記録用紙への画像形成中に挿入する挿入用紙についての片面／両面画像形成についての指定の選択を入力するよう促す表示を行っており、この表示に応じた指定の選択が入力されると、１つのジョブとして、記録用紙への画像形成と挿入用紙への画像形成とを行うように制御しており、この際に、挿入用紙についてのタブ検知結果に応じて、挿入用紙への画像形成を片面画像形成にするように画像形成手段を制御している。
【００７０】
このため、インターシートモード時の挿入用紙について片面画像形成／両面画像形成についての指定の選択が入力され、１つのジョブとして記録用紙への画像形成と挿入用紙への画像形成とが実行されるため、さらに、挿入用紙がタブ紙の場合にも片面画像形成とするような適切な制御がなされるため、画像形成面の指定の操作性が良好になる。
【００７１】
（１４）請求項１４記載の発明では、記録用紙への画像形成中に挿入する挿入用紙についての片面／両面画像形成／白紙挿入についての指定の選択を入力するよう促す表示を行い、該指定の選択が入力されると、１つのジョブとして、記録用紙への画像形成と挿入用紙への画像形成とを行うように画像形成手段を制御しており、この際に、挿入用紙片面に画像形成を行うか、または両面に画像形成を行うか、あるいは白紙挿入するかについての指定の指示に応じて、挿入用紙への画像形成を行うようにしている。
【００７２】
このため、インターシートモード時の挿入用紙について片面画像形成／両面画像形成／白紙挿入についての指定の選択が入力され、１つのジョブとして記録用紙への画像形成と挿入用紙への画像形成とが実行されるため、画像形成面の指定の操作性が良好になる。
【発明を実施するための最良の形態】
【００７３】
以下、図面を参照して本発明を実施するための最良の形態（以下、実施形態）を詳細に説明する。
〈第一の実施形態〉
この第一の実施形態では、原稿読み取り手段（スキャナ）により複写対象物（原稿）の内容を画像情報として読み取って複写する機能を備えた画像形成装置（複写装置）が基本的な構成であるが、スキャナとコンピュータとプリンタとから構成される画像形成システムであっても本願発明の実施形態を適用することが可能である。
【００７４】
なお、この第一の実施形態では、原稿を搬送しつつ画像を読み取って画像データを生成する機能を有する画像読み取り装置、すなわち、主走査方向に複数画素の固体撮像素子などの読み取り素子を有しており、原稿を読み取り素子に対して副走査方向に移動させることで、主走査方向および副走査方向の二次元の読み取り（シートスルータイプの読み取り）を実行する機能を有する画像読み取り装置または画像形成装置を具体例として説明している。
【００７５】
〈画像形成装置の機械的構成〉
まず、図２を参照して画像形成装置の機械的構成を説明する。なお、ここでは、原稿の画像を読み取って画像形成する複写機を本実施形態の具体例として用いる。
【００７６】
この図２において、１０は原稿搬送手段（以下、原稿搬送部またはＡＤＦと言う）であり、原稿を搬送しつつ原稿の片面あるいは両面を読み取るための給紙を行う手段である。２０は原稿を光学的にスキャンして読み取って画像データを生成する画像読み取り部（スキャナ）である。４０は画像データに応じた露光用光ビームを生成する画像書き込み部である。５０は画像データを静電方式により記録媒体（転写紙あるいは記録用紙と言うが、本願明細書では、記録用紙という）ｐ上に記録する画像形成部である。６０は記録用紙の搬送を行う搬送手段である。
【００７７】
ここで、原稿の両面給送が可能なＡＤＦ１０の原稿載置部１１には、原稿第１頁の表面を上にした状態の原稿ｄが複数枚載置されている。ローラ１２ａ、ローラ１２ｂを介して繰り出された原稿の１枚目はローラ１３を介して回転される。
【００７８】
この時、光源２３により原稿ｄの原稿面が照射され、その反射光がミラー２４，２５，２６を介して結像光学系２７を介して光電変換手段であるＣＣＤ（読み取り素子）２８の受光面に像を結ぶ。ここで、光源２３、ミラー２４，２５，２６、結像光学系２７及びＣＣＤ２８を有する光学系、並びに、図示されていない光学系駆動手段とで画像読み取り部２０を構成している。ここで、光源２３は、主走査方向に長手方向を有する棒状のキセノンランプなどで構成された光源である。
【００７９】
この図２において、原稿ｄがプラテンガラス２１上に読み取り面を下に向けた状態に載置された場合には、光学系がプラテンガラス２１に沿って走査しつつ原稿の画像の読み取りを行う。
【００８０】
また、原稿ｄがＡＤＦ１０により自動給紙されてローラ１３の周囲を回る場合には、スリットガラス２２下に光源２３とミラー２４とが移動して、固定された状態で読み取りを行う。そして、読み取られた原稿ｄの画像データは、ＣＣＤ２８から図示しない読み取り画像処理部に送られる。
【００８１】
なお、原稿ｄがＡＤＦ１０により自動給送される場合には、原稿ｄの１ページ目が読み取られると、今度は反転ローラ１４を介して再度ローラ１３を用いた巻き取り操作が行われ、原稿裏面の画像が画像読み取り部２０で読み取られ、読み取り画像処理部に送られる。
【００８２】
このようにして、表面と裏面との画像が読み取られた原稿ｄは、再度反転ローラ１４で反転されて、表面を下に向けた状態で排紙皿１６に積載されていく。
このようにして画像読み取り部２０で読み取られた画像データは、読み取り処理部で所定の画像処理が行なわれた後、圧縮伸長回路で圧縮されて画像メモリに記憶される。
【００８３】
一方、記録用紙ｐが積載されている給紙トレイ３０ａ〜３０ｃのいずれかから、第一給紙ローラ３１ａ〜３１ｃにより記録用紙ｐが繰り出され、画像形成部５０に給送される。
画像形成部５０に給送される記録用紙ｐは、その入口付近の第二給紙ローラ（レジストローラ）３２で同期がとられた後、像担持体となる感光体ドラム５１に近接する。なお、なお、第二給紙ローラ３２の近傍には、タブ検知手段としてのタブ検知センサ３５が配置されており、通常の記録用紙であるか、あるいは、挿入用紙として使用されるタブ紙であるか、タブ紙の場合には、タブ位置やタブサイズなどが検知される。
【００８４】
そして、書き込み処理部から画像書き込み部４０に画像データが入力され、画像書込み部４０内のレーザダイオードから画像データに応じたレーザ光を感光体ドラム５１上に照射し、静電潜像を形成する。この静電潜像を現像部５３で現像することで、感光体ドラム５１上にトナー像を形成する。
【００８５】
このトナー像は感光体ドラム５１の下部の転写部５４により記録用紙ｐに転写される。そして、感光体ドラム５１に圧着されている記録用紙ｐは分離部５５により分離される。感光体ドラム５１から分離された記録用紙ｐは搬送機構５８を介して定着部５９に入り、トナー像が熱と圧力とにより定着される。このようにして、記録用紙ｐに画像が形成される。
【００８６】
なお、必要に応じて、トナー像が定着された記録用紙ｐは、ガイド６１を介して下方に搬送され、反転部６３に入る。次に、反転部６３に入っている記録用紙ｐは、反転ローラ６２により再度繰り出され、反転搬送路６４を経由して再度画像形成部５０に送られる。前記原稿ｄの片面の画像形成が終了した画像形成部５０では、感光体ドラム５１に付着したトナーがクリーニング部５６で除去され、続く帯電部５２により帯電させられ、次の画像形成に備えている。
【００８７】
この状態で記録用紙ｐのもう一方の面（未だ画像形成されていない面）が画像形成部５０に搬入され、画像が形成される。分離部５５で感光体ドラム５１から分離された記録用紙ｐは搬送機構５８を介して再度定着部５９に入って定着される。このようにして、裏面と表面との画像形成が完了した記録用紙ｐ、または、一方の面の画像形成が完了した記録用紙ｐは排出される。
【００８８】
〈画像形成装置の電気的構成〉
図１は本発明の第１の実施形態の画像形成装置内の詳細構成を示すブロック図である。なお、この図１では、本実施形態の動作説明に必要な部分の周囲を中心に記載してあり、その他の画像形成装置として既知の部分については省略してある。
【００８９】
１００はネットワーク１を介してコンピュータから得た画像データあるいは内蔵するスキャナ（請求項における画像読み取り手段）で読み取って生成した画像データについて画像形成による出力を行う機能を有する画像形成装置である。
【００９０】
また、この画像形成装置１００は、原稿の表面と裏面とが読み取り位置を通過するように原稿を反転搬送する機能を有する。また、この画像形成装置１００は、搬送される前記原稿に読み取り光を照射し、前記原稿からの反射光を受けて画像を読み取って画像データを生成する機能を有する。また、この画像形成装置１００は、複数のトレイのいずれかに収納された記録用紙を選択的に給紙して、該記録用紙の両面に前記画像データに応じた画像を形成する機能を有する。
【００９１】
また、この画像形成装置１００において、１０１は各部を制御する制御手段としての制御部である。ここで、制御部１０１は、画像形成に使用される記録用紙とは異なる挿入用紙のトレイと該挿入用紙の挿入頁位置との指定をインターシートモードとして受け付ける機能を有する。
【００９２】
また、この制御部１０１は、操作表示部での指定に応じて、１つのジョブとして片面画像形成と両面画像形成とを混在した状態で、読み取りにより得られた画像データについての画像形成を行うようにプリントエンジンを制御している。
【００９３】
また、この制御部１０１は、操作表示部での指定に応じて、１つのジョブとして片面画像形成と両面画像形成とを混在した状態で、読み取りにより得られた画像データについての画像形成を行うようにプリントエンジンを制御しており、さらに、操作表示部での指定に応じて、１つのジョブとして片面読み取りと両面読み取りとを混在した状態の原稿読み取りを行うように、画像読み取り手段を制御している。
【００９４】
また、この制御部１０１は、操作表示部での指定に応じて、１つのジョブとして片面画像形成と両面画像形成とを混在した状態で、読み取りにより得られた画像データについての画像形成を行うようにプリントエンジンを制御しており、さらに、操作表示部での指定に応じて、１つのジョブとして複数のトレイからの給紙を選択的に切り替えて実行し、読み取りにより得られた画像データについての画像形成を行うようにプリントエンジンを制御している。
【００９５】
また、この制御部１０１は、操作表示部での指定に応じて、１つのジョブとして片面画像形成と両面画像形成とを混在した状態で、読み取りにより得られた画像データについての画像形成を行うようにプリントエンジンを制御しており、さらに、操作表示部での指定に応じて、１つのジョブとして片面読み取りと両面読み取りとを混在した状態の原稿読み取りを行うように画像読み取り手段を制御し、これに加えて、操作表示部での指定に応じて、１つのジョブとして複数のトレイからの給紙を選択的に切り替えて実行し、読み取りにより得られた画像データについての画像形成を行うようにプリントエンジンを制御している。
【００９６】
また、この制御部１０１は、操作表示部での指定に応じて、１つのジョブとして片面画像形成と両面画像形成とを混在した状態で、読み取りにより得られた画像データについての画像形成を行うようにプリントエンジンを制御しており、さらに、両面画像形成中に含める片面画像形成についての指定、両面画像形成中に含める片面画像形成の際の記録用紙のトレイについての指定、両面原稿読み取り中に含める片面原稿読み取りについての指定、の選択を操作表示部に入力するよう促す表示を行い、該指定の入力がなされると、両面画像形成中に含める片面画像形成、両面画像形成中に含める片面画像形成の際の指定された記録用紙のトレイからの給紙、両面原稿読み取り中に含める片面原稿読み取り、を実行するように制御している。
【００９７】
また、この制御部１０１は、画像読み取りと画像形成とを制御する際に、インターシートモードとしての指定がなされ、且つ、前記挿入用紙のトレイとして指定されたトレイにセットされた挿入用紙が両面画像形成不可の場合に、挿入用紙に相当する頁の原稿では片面読み込み、他の頁の原稿では両面読み込みを行うように制御すると共に、読み取りにより得られた画像データに応じて、挿入用紙に相当する頁では挿入用紙のトレイからの給紙を行って片面画像形成を行い、反転搬送路に搬送せずに排出し、他の頁では記録用紙を給紙して両面画像形成を行うように制御する機能を有する。また、この制御部１０１は、指定されたインターシートモードにおける挿入用紙がタブ紙であれば、該タブ紙のタブの部分に関して、読み取る領域を延長する機能を有する。
【００９８】
なお、制御部１０１は、挿入用紙が両面画像形成不可か否かを、ユーザによる挿入用紙への画像形成面指示（両面か、片面かの指示）または白紙挿入指示あるいは挿入用紙の媒体の種類に応じて判断することもできる。挿入用紙の媒体の種類に応じて判断する場合には、ユーザが入力する媒体の種類に応じて判断することもできるが、予め挿入用紙が収容されているトレイと媒体の種類とを対応づけて記憶しておき、用いる挿入用紙の収容されているトレイの選択に応じて、記憶されている媒体の種類を読み出すことにより判断することもできる。なお、挿入用紙の媒体の種類が、タブ紙、裏紙（すでに裏面に画像が形成されている用紙、プリプリント済みの用紙）および厚紙の少なくとも一つを満足する場合に、両面画像形成不可と判断することが好ましい。
【００９９】
１０２はネットワーク１を介した通信を行う通信手段としてのインタフェース（Ｉ／Ｆ）、１０３は装置の各種操作の入力がなされると共に各種表示を行う操作表示部である。なお、この操作表示部１０３は請求項における指示入力手段を構成している。
【０１００】
この操作表示部１０３において、画像形成に使用される記録用紙とは異なる挿入用紙のトレイの指定と、該挿入用紙の挿入頁位置との指定とを、インターシートモードの指定と共に受け付ける機能を有する。なお、挿入用紙は、記録用紙のみならず、表紙としての記録用紙の１頁目の前や、裏表紙としての記録用紙の最終頁の次に挿入することもできるものとする。
【０１０１】
また、操作表示部１０３では、１つのジョブとして片面画像形成と両面画像形成とを混在した状態で、読み取りにより得られた画像データについての画像形成を行う指定を受け付ける機能を有する。また、操作表示部１０３では、１つのジョブとして片面読み取りと両面読み取りとを混在した状態の原稿読み取りを行う指定を受け付ける機能を有する。また、操作表示部１０３では、１つのジョブとして複数のトレイからの給紙を選択的に切り替えて実行し、読み取りにより得られた画像データについての画像形成を行う指定を受け付ける機能を有する。また、操作表示部１０３では、１つのジョブとして複数のトレイからの給紙を選択的に切り替えて実行し、読み取りにより得られた画像データについての画像形成を行う指定を受け付ける機能を有する。また、操作表示部１０３では、両面画像形成中に含める片面画像形成についての指定、両面画像形成中に含める片面画像形成の際の記録用紙のトレイについての指定、両面原稿読み取り中に含める片面原稿読み取りについての指定、の選択を操作表示部に入力するよう促す表示を行い、これらについての指定を受け付ける機能を有する。
【０１０２】
なお、画像形成装置が複写機やプリンタの場合には、この操作表示部１０３は操作パネルからの入力を受け付けるものであり、画像形成装置がネットワークを介したプリンタ（請求項における画像形成システム）である場合には、ネットワークを介したホストコンピュータからの指示の入力を受け付けるものである。
【０１０３】
１０４は制御部１０１が画像形成装置１００を制御する際の制御プログラムが格納されているプログラムメモリ、１０５は画像形成装置１００の各種データや設定値を保持・蓄積しておくためのテーブルとしての不揮発性メモリである。
【０１０４】
１０６は画像形成する際の展開された状態の画像データや、ジョブとして圧縮された状態の圧縮画像データが格納される画像メモリである。なお、この画像メモリ１０６は、必要に応じて、半導体メモリあるいはハードディスクなどで構成される。
【０１０５】
１０７は画像読み取り時の画像処理（読み取り画像処理）を行うための読み取り処理部、１０８は画像形成時の画像処理（書き込み画像処理）を行うための書き込み処理部である。
【０１０６】
１１０は原稿搬送手段としてのＡＤＦであり、図２の機械的構成おけるＡＤＦ１０に相当するものであり、原稿を搬送しつつ原稿の片面あるいは両面を読み取るための給紙を行う手段である。すなわち、このＡＤＦ１１０は、原稿の表面と裏面とが読み取り位置を通過するように原稿を反転搬送する機能を有する原稿搬送手段である。
【０１０７】
１２０は原稿を光学的にスキャンして読み取って画像データを生成する画像読み取り部（スキャナ）であり、図２の機械的構成における画像読み取り部２０に該当するものであり、シートスルー型の読み取りの機能を有している。すなわち、この画像読み取り部１２０は、搬送される原稿に読み取り光を照射し、原稿からの反射光を受けて画像を読み取って画像データを生成する機能を有する画像読み取り手段である。
【０１０８】
１８０は書き込み処理部１０８からの画像データを受けて記録用紙上に画像を形成して出力するプリント手段としてのプリントエンジンであり、図２の機械的構成における、タブ検知センサ３５、画像書き込み部４０、画像形成部５０、搬送手段６０などを含んで構成される。そして、このプリントエンジン１８０は、複数のトレイのいずれかに収納された記録用紙を選択的に給紙して、該記録用紙の両面に画像データに応じた画像を形成する機能を有している。
【０１０９】
また、このネットワーク１に接続された画像形成装置１００は、複写機だけでなく、ファクシミリ装置、ディジタル複合機などの各種の装置が該当する。また、プリントエンジン１８０は、感光体とレーザビームとを用いる電子写真方式のもののほか、ＬＥＤプリントヘッドを用いるものや、インクジェット方式のものであってもよい。
【０１１０】
〈第一の実施形態の動作状態〉
以下、本発明の第一の実施形態の画像形成装置の動作、すなわち、画像形成装置制御方法の手順について、図３のフローチャートおよび図４の操作表示部１０３でのオペレータからの操作入力を参照して詳細な説明を行う。
【０１１１】
また、図４は制御部１０１の制御に基づいて操作表示部１０３に表示される基本的な画面例である。ここで、図４（ａ）各種の基本的な設定を行うための基本画面、図４（ｂ）は応用機能の選択がなされる応用機能設定画面、図４（ｃ）は応用機能の一つであるインターシート（記録用紙中に挿入用紙を挿入する機能）モードにて挿入用紙のトレイと該挿入用紙の挿入頁位置の指定がなされるインターシートモード設定画面、を表す説明図である。
【０１１２】
まず、制御部１０１の制御によって操作表示部１０３には基本画面（図４（ａ））が表示され、オペレータの指定入力待ちになる。
この図４（ａ）の基本画面の設定では、両面原稿について両面複写する設定がオペレータからなされ（図４（ａ）（１））、トレイ＃２のＡ４サイズの記録用紙がオペレータにより選択されている（図４（ａ）（２））とする（図３Ｓ１）。
【０１１３】
ここで、両面原稿でない場合（図３Ｓ２でＮＯ）、片面読み取りあるいは片面画像形成であるため、制御部１０１は片面処理などの別処理を実行する（図３Ｓ３）。なお、片面読み取りあるいは片面画像形成処理については、この実施形態での詳細な説明は省略する。
【０１１４】
さらに、この基本画面の設定にて、応用機能の選択（図４（ａ）（３））がオペレータによりなされたとする。
なお、応用機能の選択がなされない場合（図３Ｓ４でＮＯ）は、制御部１０１は通常処理などの別処理を実行する（図３Ｓ３）。なお、通常処理についてはこの実施形態での詳細な説明は省略する。
【０１１５】
基本画面にてオペレータから応用機能の選択（図４（ａ）（３））がなされると、制御部１０１は図４（ｂ）に示す応用機能設定画面を操作表示部１０３に表示する。すなわち、制御部１０１の制御によって操作表示部１０３には応用機能設定画面（図４（ｂ））が表示され、オペレータの指定入力待ちになる。
【０１１６】
この応用機能としては、インターシート、章分け、白黒反転、リピート、枠／折り目消し、全面画像、とじしろ、スタンプ／オーバーレイなどが存在している。この第一の実施形態では、インターシート（図４（ｂ）（４））がオペレータにより選択され、「ＯＫ」が押下されたとする（図４（ｂ）（５）、図３Ｓ４でＹＥＳ）。
【０１１７】
なお、インターシート以外の他の応用機能の選択がなされた場合（図３Ｓ４でＮＯ）は、制御部１０１はそれぞれの選択に応じた応用機能の別処理を実行する（図３Ｓ３）。なお、他の応用機能についてはこの実施形態での詳細な説明は省略する。
【０１１８】
応用機能設定画面にてオペレータからインターシートの選択（図４（ｂ）（４）（５））がなされると、制御部１０１は図４（ｃ）に示す挿入モード設定画面を操作表示部１０３に表示する。すなわち、制御部１０１の制御によって操作表示部１０３には挿入モード設定画面（図４（ｃ））が表示され、オペレータの指定入力待ちになる。
【０１１９】
この挿入モードでの選択や指定としては、片面挿入／両面挿入の選択、コピー挿入／白紙挿入の選択、画像形成に使用される記録用紙とは異なる挿入用紙のトレイの指定、該挿入用紙の挿入頁位置の指定、などが存在している。
【０１２０】
この第一の実施形態では、片面挿入（図４（ｃ）（６））と白紙挿入（図４（ｃ）（７））とがオペレータにより選択され（図３Ｓ５）、さらに、挿入頁の設定が選択された（図４（ｃ）（８））とすると、制御部１０１はテンキーなどからの挿入頁を挿入する頁の番号の入力を受け付ける。
【０１２１】
ここでは、挿入頁としては第３枚目が選択された（図４（ｃ）（９））とする（図３Ｓ６）。
また、この第一の実施形態では、挿入用紙のトレイ変更が選択された（図４（ｃ）（１０））とすると、制御部１０１は、トレイ選択画面（図示せず）を操作表示部１０３に表示し、挿入用紙のトレイ変更を受け付ける。ここでは、挿入用紙のトレイとしては、タブ紙（インデックス紙）がセットされている手差しトレイが選択された（図４（ｃ）（１１））とする（図３Ｓ７）。すなわち、挿入用紙としてタブ紙が載置されたトレイが指定された場合には、タブ紙が挿入用紙として指定された所定の頁位置に挿入されることになる。
【０１２２】
ここで、以上の応用機能設定画面や挿入モード設定画面やインターシートモード設定画面での設定が完了すれば、オペレータより「ＯＫ」（図４（ｃ）（１２））が選択され（図３Ｓ８でＹＥＳ）、挿入用紙の片面画像形成が含まれた片面・両面混在の画像形成出力物を得るための設定が完了する。そして、制御部１０１は、操作表示部１０３で入力された設定や選択を不揮発性メモリ１０５などに保持する。
【０１２３】
そして、制御部１０１は、以上の設定に基づいて、ＡＤＦ１１０と画像読み取り部１２０とに指示を与え、画像読み取りを開始させる（図３Ｓ９）。ここで、読み取られる原稿は、図５（ａ）に示すように、両面原稿＃１（１頁−２頁）、両面原稿＃２（３頁−４頁）、両面原稿＃３（５頁−６頁）、両面原稿＃４（７頁−８頁）、のようになっているとする。
【０１２４】
ここで、制御部１０１は、上述した各画面（基本画面、応用機能設定画面、インターシートモード設定画面）でオペレータより入力された設定を参照し、読み取る原稿が挿入用紙（白紙挿入頁）に該当するかを判断している（図３Ｓ１０）。そして、以下のように、通常原稿の読み取りによる画像データ生成か、挿入用紙（白紙挿入頁）のためのブランク画像データ生成か、に応じて読み取りを全原稿を読み取り終えるまで続ける（図３Ｓ１５）。
【０１２５】
読み取る原稿が画像形成出力の挿入用紙（白紙挿入頁）に該当しない原稿であれば（図３Ｓ１０でＮＯ）、制御部１０１の制御により、ＡＤＦ１１０で搬送しつつ、画像読み取り部１２０にて原稿の表面を読み取り（図３Ｓ１１）、ＡＤＦ１１０で原稿を反転させる。続いて、ＡＤＦ１１０で同じ原稿を原稿を搬送しつつの裏面を読み取り（図３Ｓ１２）、反転して排紙する。ここでは、両面原稿＃１と両面原稿＃２との２枚の原稿をこのようにして、それぞれ表面と裏面とについて読み取って画像データを生成する（図５（ｂ）参照）。このようにして読み取りにより得られた画像データは、制御部１０１によって画像メモリ１０６に格納される。
【０１２６】
そして、つぎの３枚目は、画像形成出力においては挿入用紙（白紙挿入頁）に該当するので（図３Ｓ１０でＹＥＳ）、制御部１０１は、原稿の読み取りを一時停止（図３Ｓ１３）する。
そして、制御部１０１は、挿入用紙（白紙挿入頁）に該当する画像データとしてブランク画像データを生成する（図３Ｓ１４）。
【０１２７】
その後、両面原稿＃３と両面原稿＃４は画像形成出力で挿入用紙（白紙挿入頁）に該当しないので（図３Ｓ１０でＮＯ）、制御部１０１の制御により、ＡＤＦ１１０で搬送しつつ、画像読み取り部１２０にて原稿の表面を読み取り（図３Ｓ１１）、ＡＤＦ１１０で原稿を反転させる。続いて、ＡＤＦ１１０で同じ原稿を原稿を搬送しつつの裏面を読み取り（図３Ｓ１２）、反転して排紙する（図５（ｂ）参照）。
【０１２８】
なお、読み取り動作で得た画像データは、読み取り処理部１０７で読み取り時の画像処理を実行した後、制御部１０１の指示に基づいて、画像メモリ１０６にジョブ単位で格納される。
【０１２９】
以上の読み取りでは、インターシートモード時に画像形成出力に挿入用紙を含める場合に、挿入用紙に対応する白紙が原稿側に存在しない原稿について、専用のセンサを用いることなく、また、束分割読み取りなどによって生産性を低下させることなく、一括読み取りで効率的に読み取ることが可能になる。
【０１３０】
そして、制御部１０１は、以上の画像読み取りの完了に応じて、書き込み処理部１０８とプリントエンジン１８０とに指示を与え、画像形成を開始させる（図３Ｓ１６）。なお、全ての原稿の読み取りが完了しなくても、少なくとも１枚目の両面原稿＃１の読み取りが完了した時点で、画像形成を開始することが可能である。
【０１３１】
ここで、画像形成は、図５（ａ）に示した原稿（両面原稿＃１（１頁−２頁）、両面原稿＃２（３頁−４頁）、両面原稿＃３（５頁−６頁）、両面原稿＃４（７頁−８頁））を読み取って得た画像データと、操作表示部１０３に入力された設定（ここでは、原稿の両面複写に加え、挿入用紙を白紙挿入紙として第３枚目へ挿入）、とに応じて設定に応じた画像形成出力を得るように行う。
【０１３２】
ここで、制御部１０１は、上述した各画面（基本画面、応用機能設定画面、インターシートモード設定画面）でのオペレータからの設定の入力を参照し、画像形成する記録用紙が、通常の記録用紙であるか挿入用紙であるかを判断している（図３Ｓ１７）。
【０１３３】
そして、制御部１０１は、以下のように通常の記録用紙か、挿入用紙かに応じて異なる画像形成を、全ての用紙に対して、該当するジョブの全ての画像データを画像形成し終わるまで続ける（図３Ｓ２２）。
【０１３４】
画像形成すべき用紙が挿入用紙でなければ（図３Ｓ１７でＮＯ）、制御部１０１の制御により、通常の記録用紙の表面に原稿表面の画像データに応じた画像形成をした後、反転搬送をして、記録用紙の裏面に原稿裏面の画像データに応じた画像形成を行い（図３Ｓ１８）、そのままの状態でストレート排紙する（図３Ｓ１９）。
【０１３５】
ここでは、記録用紙＃１（１頁−２頁）と記録用紙＃２（３頁−４頁）との２枚の記録用紙について、このようにして反転搬送を伴う両面画像形成を実行する（図５（ｃ）（ｄ）参照）。
【０１３６】
そして、３枚目の記録用紙は挿入用紙であるので（図３Ｓ１７でＹＥＳ）、制御部１０１は、挿入用紙として指定されたトレイから給紙した挿入用紙の表面のみに画像形成（図３Ｓ２０）をした後、反転部６３で挿入用紙を反転させてから排紙する（図３Ｓ２１）。なお、実際には白紙挿入紙が指定されているため、ブランク画像データであり、画像形成は行わず、片面画像形成の搬送路と反転部６３とを挿入用紙が通過するだけである。
【０１３７】
そして、４〜５枚目の記録用紙は挿入用紙でないので（図３Ｓ１７でＮＯ）、制御部１０１の制御により、通常の記録用紙の表面に原稿表面の画像データに応じた画像形成をした後、反転搬送をして、記録用紙の裏面に原稿裏面の画像データに応じた画像形成を行い（図３Ｓ１８）、そのままの状態でストレート排紙する（図３Ｓ１９）。
【０１３８】
このようにして、原稿の複写を行う通常の記録用紙か、白紙挿入紙としての挿入用紙かに応じて異なる画像形成を、全ての用紙に対して、該当するジョブの全ての画像データを画像形成し終わるまで続ける（図３Ｓ２２、図５（ｃ）（ｄ）参照）。
【０１３９】
以上のように、この第一の実施形態では、両面複写（両面読み取り・両面画像形成）にインターシートモード（挿入モードとして挿入用紙が片面挿入・白紙挿入）の指定がなされた場合に、画像形成出力で挿入用紙に相当する頁の原稿では読み込みを行わず、他の頁の原稿では両面読み込みを行うように画像読み取り部１２０を制御すると共に、読み取りにより得られた画像データに応じて、挿入用紙に相当する頁では挿入用紙のトレイからの給紙を行って片面画像形成を行い、反転搬送路に搬送せずに排出し、他の頁では記録用紙を給紙して両面画像形成を行うようにプリントエンジン１８０を制御する。
【０１４０】
このため、片面画像形成と両面画像形成とを混在して実行する際に、複数のジョブとして扱うプログラミングジョブとしての動作および制御が不要になり、一括した一部としての読み取りと画像形成とで実行できる。この結果、片面画像形成と両面画像形成とを混在させて実行する際に、束分割読み取りなどによって生産性を低下させることなく効率的に実行することが可能になる。
【０１４１】
また、この第一の実施形態では、読み取りにより得られた画像データについての画像形成が、指示入力手段での指定に応じて、複数のトレイからの給紙が選択的に切り替えられつつ、１つのジョブとして片面画像形成と両面画像形成とを混在した状態で実行される。
【０１４２】
このため、複数のトレイからの給紙を伴う片面画像形成と両面画像形成とを混在して実行する際に、複数のジョブとして扱うプログラミングジョブとしての動作および制御が不要になり、一括した一部としての読み取りと画像形成とで実行できる。この結果、片面画像形成と両面画像形成とを混在させて実行する際に、束分割読み取りなどによって生産性を低下させることなく効率的に実行することが可能になる。
【０１４３】
また、この第一の実施形態では、両面画像形成中に含める片面画像形成（片面複写、片面白紙挿入紙）についての指定、両面画像形成中に含める片面画像形成の際の記録用紙のトレイについての指定、の選択を指示入力手段に入力するよう促す表示を行っており、以上の表示に応じた指定の入力がなされると、両面画像形成中に含める片面画像形成、両面画像形成中に含める片面画像形成の際の指定された記録用紙のトレイからの給紙、を実行するように制御している。
【０１４４】
このため、複数のトレイからの給紙を伴う片面画像形成／両面画像形成、を混在して実行する際に、複数のジョブとして扱うプログラミングジョブとしての動作および制御が不要になり、一括した一部としての読み取りと画像形成とで実行できる。この結果、片面画像形成／両面画像形成を混在させて実行する際に、束分割読み取りなどによって生産性を低下させることなく効率的に実行することが可能になる。
【０１４５】
図６は以上の実施形態の動作状態を、図５と同様の場合について詳細に示すタイムチャートである。
ここでは、図５（ａ）に示した原稿（両面原稿＃１（１頁−２頁）、両面原稿＃２（３頁−４頁）、両面原稿＃３（５頁−６頁）、両面原稿＃４（７頁−８頁））と挿入用紙の指定とに基づいて、画像形成出力（記録用紙＃１（１頁−２頁）、記録用紙＃２（３頁−４頁）、挿入用紙＃１（タブ紙）、記録用紙＃３（５頁−６頁）、記録用紙＃４（７頁−８頁））を得るように行う具体例を示している。
【０１４６】
なお、この図６において、「給紙挿入ポインター」は、給紙に関する次に挿入するページが格納されている番号を示すポインターであり、コピー開始時「１」がセットされ、挿入ページが実行されると＋１される。また、「第二給紙挿入ポインター」は、第二給紙に関する次に挿入するヘ゜ーシ゛が格納されている番号を示すポインターであり、コピー開始時「１」がセットされ、挿入ページが実行されると＋１される。
【０１４７】
また、この図５、図６のような動作を行う際に、画像形成装置内のシステムメモリと呼ばれるメモリ領域に、具体的には、図７のような構成のデータがジョブ毎に格納される。このデータは、ジョブの状態を示すジョブデータ、各頁の状態を示すページデータとに分かれている。
【０１４８】
そして、ジョブデータとしては、設定部数、出力済み部数、コピーモード、インターシート有無、挿入モード、指定頁、記録用紙（本文）使用トレイ、挿入用紙トレイ、給紙挿入ポインター、第二給紙挿入ポインター、読み込み済み画像枚数、出力ページ、などの項目が存在しており、画像読み取りや画像形成の進行状況に応じて値が更新される。また、ページデータとしては、各頁について画像格納アドレスが存在している。
【０１４９】
ここで、コピーモードとしては、基本画面（図４（ａ））にて選択されたコピーモードがセットされる（片面→片面／片面→両面／両面→片面／両面→両面など）。インターシート有無としては、応用機能設定画面（図４（ｂ））のインターシートが選択された場合「有り」となる。
【０１５０】
挿入モードとしては、挿入用紙に対する、片面挿入／両面挿入、白紙挿入／複写挿入によりセットされる。以上の実施形態では、片面挿入と白紙挿入とが指定される。
指定頁として、インターシート設定画面で指定された挿入頁位置がセットされる。この第一の実施形態では、設定箇所は３０箇所で、小さい順にソーティングされ挿入頁１〜３０にセットされる。
【０１５１】
挿入用紙トレイと同サイズの記録用紙が載置されるトレイが本文用トレイ（記録用紙トレイ）として自動選択される。この第一の実施形態では、手差しトレイと同サイズで最も優先順位の高いトレイ＃２が選択されている。
【０１５２】
挿入用紙トレイとしては、インターシート設定画面にて選択されたトレイがセットされる。この例では手差しトレイが選択されている。
給紙挿入ポインターとしては、給紙に関する次に挿入するページが格納されている番号を示しており、コピー開始時「１」がセットされ、挿入ページが実行されると＋１される。また、第二給紙挿入ポインターとしては、第二給紙に関する次に挿入するページが格納されている番号を示しており、コピー開始時「１」がセットされ、挿入ページが実行されると＋１される。
【０１５３】
読み込み済み画像枚数は、 コピー開始時「１」がセットされ、SVV_OFFでインクリメントされて＋１される。すなわち、次に読み込まれる画像のページ番号を示しており、読み込まれた画像に関するデータは、この番号のページデータ領域に格納される。
【０１５４】
出力ページとしては、次に出力する画像のページ番号を示しており、出力する画像に関するデータは、この番号のページデータ領域に格納されているデータを参照する。
また、ページデータとしては、各頁毎に、画像メモリにおける画像格納アドレスが保持されている。ページデータとしての画像格納アドレスとしては、各画像は圧縮された形で画像メモリ１０６内に格納されるが、その格納アドレスを示す。
【０１５５】
図８は、図６のタイムチャートにおけるSVV_OFF時に処理されるフローチャートである。すなわち、両面原稿を両面画像形成する際に、インターシートモードとして、挿入用紙を片面挿入かつ白紙挿入する場合のSVV_OFF時のフローチャートである。なお、片面原稿を両面画像形成する際に、インターシートモードとして、挿入用紙を片面挿入かつ白紙挿入する場合のSVV_OFF時であっても以下のフローチャートが適用できる。
【０１５６】
ここで、SVV_OFF時とは、画像読み取り時の原稿と原稿との間のタイミングであり、スキャン・バーチカル・バリッド（画像読み取りの副走査方向有効期間）が無効である、すなわち、読み取り領域を処理し終えたタイミングあるいは次の処理直前のタイミングであることを意味している。
【０１５７】
まず、このSVV_OFF処理になった時点で、制御部１０１は、ジョブデータ内の読み込み済み画像枚数をインクリメントする（図８Ｓ１）。この読み込み済み画像枚数は、 コピー開始時「１」がセットされており、SVV_OFF処理でインクリメントされて＋１される。すなわち、次に読み込まれる画像のページ番号を示している。
【０１５８】
ここで制御部１０１は、読み込み済み画像枚数が偶数になっているかを判別する（図８Ｓ２）。
ここで、読み込み済み画像枚数が偶数になっている場合（図８Ｓ２でＹ）、原稿の表面を読み込んだ状態でSVV_OFFとなっているため、次の読み込みに備えて、制御部１０１は、この段階での両面画像形成に備えて、給紙READYをセットする（図８Ｓ３）。
【０１５９】
ここで、制御部１０１は、ジョブデータ内の出力ページの値を確認し、０であるかを判別する（図８Ｓ４）。出力ページの値が０であれば（図８Ｓ４でＹＥＳ）、制御部１０１は、後述するPVV_OFF処理を実行する（図８Ｓ５）。
【０１６０】
なお、読み込み済み画像枚数が偶数でない場合（図８Ｓ２でＮ）、あるいは、出力ページの値が０でない場合（図８Ｓ４でＮ）、または、PVV_OFF処理（図８Ｓ５）が完了した場合、制御部１０１は、ジョブデータ内の「読み込み済み画像枚数」のページヘッダの「画像種類」に読み込み面と画像格納アドレスとをセットする。また、読み取り処理部１０７に倍率等の共通処理をセットする（図８Ｓ１１）。すなわち、次に読み込む原稿に対しての準備を行う。そして、制御部１０１は、このSVV_OFF処理を終了する。
【０１６１】
図９は、図６のタイムチャートにおける給紙READY_OFF時に処理されるフローチャートである。すなわち、両面原稿を両面画像形成する際に、インターシートモード（片面挿入、白紙挿入）の場合の給紙READY_OFF時のフローチャートである。なお、片面原稿を両面画像形成する際に、インターシートモードとして挿入用紙を片面挿入・白紙挿入として挿入する場合の給紙READY_OFF時であっても以下のフローチャートが適用できる。
【０１６２】
ここで、給紙READY_OFF時とは、給紙トレイで給紙が実行されてから、給紙READYセット（図８Ｓ３）までのタイミングであり、給紙READYが無効である、すなわち、給紙し終えたタイミングあるいは次の給紙準備完了前のタイミングであることを意味している。
【０１６３】
ここで制御部１０１は、つぎの画像形成すべき画像データが、通常のコピー用の画像データであるか、挿入用紙の白紙挿入用のブランク画像データであるかを判別する（図９Ｓ１）。
【０１６４】
ここで、通常のコピー用の画像データである場合（図９Ｓ１でコピー）、ジョブデータ内の給紙枚数の数値を＋１する（図９Ｓ２）。また、白紙挿入する挿入用紙用のブランク画像データである場合（図９Ｓ１で白紙）、ジョブデータ内の給紙枚数の数値のインクリメントは実行しない。ここで、給紙枚数とは、通常の画像形成で使用されるトレイから給紙される記録用紙の枚数を意味している。
【０１６５】
つぎに、制御部１０１は、給紙挿入ポインターが示す挿入頁が上述した給紙枚数と一致するかを判別する（図９Ｓ３）。
ここで、挿入頁が給紙枚数と一致した場合（図９Ｓ３でＹ）、つぎの給紙は挿入用紙を給紙するタイミングであるため、ジョブデータ内の給紙挿入ポインターの数値を＋１する（図９Ｓ４）。さらに、ジョブデータ内の挿入モードと挿入紙トレイの情報を制御部１０１がプリントエンジン１８０に伝達する（図９Ｓ５）。
【０１６６】
また、ここで、挿入頁が給紙枚数と一致しない場合（図９Ｓ３でＮ）、つぎの給紙は挿入用紙ではなく通常の記録用紙を給紙するタイミングであるため、ジョブデータ内のコピーモードと使用トレイ（本文）の情報を制御部１０１がプリントエンジン１８０に伝達する（図９Ｓ６）。このようにして、制御部１０１は、次の画像形成のための給紙の準備としての給紙READY_OFF処理を終了する。
【０１６７】
図１０は以上の図７のデータ構成におけるPVV_OFF時に処理されるフローチャートである。すなわち、両面原稿を両面画像形成する際に、インターシートモード（片面挿入、白紙挿入）の場合のPVV_OFF時のフローチャートである。
【０１６８】
なお、片面原稿を両面画像形成する際に、インターシートモードとして挿入用紙を片面挿入・白紙挿入として挿入する場合の給紙READY_OFF時であっても以下のフローチャートが適用できる。
【０１６９】
ここで、PVV_OFF時とは、画像形成実行時と次の画像形成実行時との間のタイミングであり、プリント・バーチカル・バリッド（画像形成の副走査方向有効期間）が無効である、すなわち、画像形成領域を処理し終えたタイミングあるいは次の画像形成処理直前のタイミングであることを意味している。
【０１７０】
また、このPVV_OFF処理は、前述したSVV_OFF処理中で実行されるほか、画像形成実行後にコールされるサブルーチンである。
まず、制御部１０１は、つぎの画像形成すべき画像データが、通常のコピー用の画像データであるか、挿入用紙の白紙挿入用のブランク画像データであるかを判別する（図１０Ｓ１）。
【０１７１】
ここで、通常のコピー用の画像データではなく、白紙挿入する挿入用紙用のブランク画像データである場合（図１０Ｓ１で白紙）、複写する原稿が片面か両面かを判別する（図１０Ｓ２）。
【０１７２】
ここで、通常のコピー用の画像データである場合（図１０Ｓ１でコピー）、片面原稿の画像形成時に挿入頁が出力ページと一致しない場合（図１０Ｓ３でＮ）、両面原稿の画像形成時に挿入頁が（出力ページ／２）と一致しない場合（図１０Ｓ４でＮ）、つぎの画像形成は挿入用紙ではなく通常の記録用紙の画像形成タイミングであるため、制御部１０１は、ジョブデータ内の出力ページをインクリメントして＋１する（図１０Ｓ５）。この出力ページとは、次に出力する画像のページ番号を示している。なお、出力する画像に関するデータは、この番号に該当するページデータ領域（図７参照）に格納されているデータが参照される。
【０１７３】
つぎに、制御部１０１は、画像メモリ１０６を制御するために制御部１０１内に備えられるＤＲＡＭ制御ＩＣ（図示せず）へ、伸長アドレス（出力ページのページヘッダに格納されている値）をセットする（図１０Ｓ６）。すなわち、次に画像形成する画像の画像データを出力する用意をしておく。
【０１７４】
また、ここで、片面原稿の画像形成時に挿入頁が出力ページと一致する場合（図１０Ｓ３でＹ）、両面原稿の画像形成時に挿入頁が（出力ページ／２）と一致する場合（図１０Ｓ４でＹ）、つぎの画像形成は挿入用紙の画像形成タイミングであるため、制御部１０１は、画像メモリ１０６を制御するために制御部１０１内に備えられるＤＲＡＭ制御ＩＣ（図示せず）へ、白紙挿入頁のためのブランク画像データの伸長アドレス（出力ページのページヘッダに格納されている値）をセットする（図１０Ｓ７）。すなわち、次に画像形成する挿入用紙のための白紙の画像データを出力する用意をしておく。
【０１７５】
そして、制御部１０１は、ジョブデータ内の第二給紙挿入ポインターをインクリメントして＋１する（図１０Ｓ８）。この第二給紙挿入ポインターとしては、第二給紙に関する次に挿入するページが格納されている番号を示しており、コピー開始時「１」がセットされ、挿入ページが実行されると＋１される。
【０１７６】
そして、このPVV_OFF処理の最後に、制御部１０１は、書き込み処理部１０８に共通処理（プリントエンジン１８０におけるＬＤパスワード値等）をセットする（図１０Ｓ９）。すなわち、次に画像形成を実行する際の準備を行う。このようにして、制御部１０１は、次の画像形成のための準備としてのPVV_OFF処理を終了する。
【０１７７】
以上の図８〜図１０のフローチャートに示すように、画像形成装置内のシステムメモリと呼ばれるメモリ領域に図７の構成のデータがジョブ毎に格納されており、図８のSVV_OFF処理と図９の給紙READY_OFF処理と図１０のPVV_OFF処理とを実行することで、図５および図６に示すように、複数のトレイからの給紙を伴う片面画像形成／両面画像形成、を混在して実行する際に、複数のジョブとして扱うプログラミングジョブとしての動作および制御が不要になり、一括した一部としての読み取りと画像形成とで実行できる。この結果、片面画像形成／両面画像形成を混在させて実行する際に、束分割読み取りなどによって生産性を低下させることなく効率的に実行することが可能になる。
【０１７８】
〈第一の実施形態におけるその他の態様〉
なお、以上の実施形態の具体例では、説明を簡略化するために画像形成における循環枚数を１としていたが、循環枚数が複数であっても、束分割読み取りなどによって生産性を低下させることなく一括読み取りによって効率的に得ることが可能である。
【０１７９】
また、以上の実施形態の具体例では、両面原稿を読み取り両面画像形成する際に、操作表示部１０３に入力された設定により挿入用紙の挿入を実行するようにしていたが、片面原稿を読み取り両面画像形成する際に、操作表示部１０３に入力された設定により挿入用紙の挿入を実行することも可能である。
【０１８０】
また、以上の実施形態の具体例では、両面原稿を読み取り両面画像形成する際に、操作表示部１０３に入力された設定により白紙・片面の挿入用紙の挿入を実行するようにしていたが、操作表示部１０３に入力される設定により、挿入用紙に原稿の画像を複写するコピー挿入することもできる。
【０１８１】
さらに、操作表示部１０３に入力される設定により、挿入用紙に原稿の画像を複写するコピー挿入とする場合に、原稿の画像を挿入用紙の片面に複写する片面挿入だけでなく、原稿の画像を挿入用紙の両面に複写する両面挿入とすることもできる。
【０１８２】
また、以上の実施形態の具体例では、両面原稿を読み取り両面画像形成する際に、操作表示部１０３に入力された設定により異なるトレイから挿入用紙を給紙するように選択したが、本文の記録用紙と同じトレイの用紙を挿入用紙として用いることも可能である。
【０１８３】
〈第二の実施形態〉
以下、第二の実施形態の画像形成装置について説明する。なお、原稿読み取り手段（スキャナ）により複写対象物（原稿）の内容を画像情報として読み取って複写する機能を備えた画像形成装置（複写装置）が基本的な構成であるが、スキャナとコンピュータとプリンタとから構成される画像形成システムであっても本願発明の実施形態を適用することが可能である。
【０１８４】
なお、第二の実施形態では、原稿を搬送しつつ画像を読み取って画像データを生成する機能を有する画像読み取り装置、すなわち、主走査方向に複数画素の固体撮像素子などの読み取り素子を有しており、原稿を読み取り素子に対して副走査方向に移動させることで、主走査方向および副走査方向の二次元の読み取り（シートスルータイプの読み取り）を実行する機能を有する画像読み取り装置または画像形成装置を具体例として説明している。
【０１８５】
また、この第二の実施形態の画像形成装置では、図１に示す電気的構成、および、図２に示す機械的構成は上述した第一の画像形成装置と同じであるため、重複した説明は省略する。
【０１８６】
以下、本発明の第二の実施形態の画像形成装置の動作、すなわち、画像形成装置制御方法の手順について、図１１のフローチャートおよび図１２の操作表示部１０３でのオペレータからの操作入力を参照して詳細な説明を行う。
【０１８７】
なお、図１２は制御部１０１の制御に基づいて操作表示部１０３に表示される基本的な画面例である。ここで、図１２（ａ）各種の基本的な設定を行うための基本画面、図１２（ｂ）は応用機能の選択がなされる応用機能設定画面、図１２（ｃ）は応用機能の一つであるインターシート（記録用紙中に挿入用紙を挿入する機能）モードにて挿入用紙のトレイと該挿入用紙の挿入頁位置の指定がなされるインターシートモード設定画面、を表す説明図である。
【０１８８】
まず、制御部１０１の制御によって操作表示部１０３には基本画面（図１２（ａ））が表示され、オペレータの指定入力待ちになる。
この図１２（ａ）の基本画面の設定では、両面原稿について両面複写する設定がオペレータからなされ（図１２（ａ）（１））、トレイ＃２のＡ４サイズの記録用紙がオペレータにより選択されている（図１２（ａ）（２））とする（図１１Ｓ１）。
【０１８９】
ここで、両面原稿でない場合（図１１Ｓ２でＮＯ）、片面読み取りあるいは片面画像形成であるため、制御部１０１は片面処理などの別処理を実行する（図１１Ｓ３）。なお、片面読み取りあるいは片面画像形成処理については、この実施形態での詳細な説明は省略する。
【０１９０】
さらに、この基本画面の設定にて、応用機能の選択（図１２（ａ）（３））がオペレータによりなされたとする。
なお、応用機能の選択がなされない場合（図１１Ｓ４でＮＯ）は、制御部１０１は通常処理などの別処理を実行する（図１１Ｓ３）。なお、通常処理についてはこの実施形態での詳細な説明は省略する。
【０１９１】
基本画面にてオペレータから応用機能の選択（図１２（ａ）（３））がなされると、制御部１０１は図１２（ｂ）に示す応用機能設定画面を操作表示部１０３に表示する。すなわち、制御部１０１の制御によって操作表示部１０３には応用機能設定画面（図１２（ｂ））が表示され、オペレータの指定入力待ちになる。
【０１９２】
この応用機能としては、インターシート、章分け、白黒反転、リピート、枠／折り目消し、全面画像、とじしろ、スタンプ／オーバーレイなどが存在している。この第二の実施形態では、インターシート（図１２（ｂ）（４））がオペレータにより選択され、「ＯＫ」が押下されたとする（図１２（ｂ）（５）、図１１Ｓ４でＹＥＳ）。
【０１９３】
なお、インターシート以外の他の応用機能の選択がなされた場合（図１１Ｓ４でＮＯ）は、制御部１０１はそれぞれの選択に応じた応用機能の別処理を実行する（図１１Ｓ３）。なお、他の応用機能についてはこの実施形態での詳細な説明は省略する。
【０１９４】
応用機能設定画面にてオペレータからインターシートの選択（図１２（ｂ）（４）（５））がなされると、制御部１０１は図１２（ｃ）に示す挿入モード設定画面を操作表示部１０３に表示する。すなわち、制御部１０１の制御によって操作表示部１０３には挿入モード設定画面（図１２（ｃ））が表示され、オペレータの指定入力待ちになる。
【０１９５】
この挿入モードでの選択や指定としては、コピー挿入としての片面複写挿入／両面複写挿入／白紙挿入の選択、画像形成に使用される記録用紙とは異なる挿入用紙のトレイの指定、該挿入用紙の挿入頁位置の指定、などが存在している。
【０１９６】
この第二の実施形態では、片面複写挿入（図１２（ｃ）（６））がオペレータにより選択され（図１１Ｓ５）、さらに、挿入頁の設定が選択された（図１２（ｃ）（７））とすると、制御部１０１はテンキーなどからの挿入頁を挿入する頁の番号の入力を受け付ける。
【０１９７】
なお、記録用紙に両面複写する際に、挿入用紙に両面複写するのであれば、連続した両面複写であるので、詳細な説明は省略する。また、記録用紙に両面複写する際に、挿入用紙として白紙挿入するのであれば、上述した第一の実施形態であるため、ここでの説明は省略する。
【０１９８】
なお、ここでは、挿入頁としては第３枚目が選択された（図１２（ｃ）（８））とする（図１１Ｓ６）。
また、この第二の実施形態では、挿入用紙のトレイ変更が選択された（図１２（ｃ）（９））とすると、制御部１０１は、トレイ選択画面（図示せず）を操作表示部１０３に表示し、挿入用紙のトレイ変更を受け付ける。ここでは、挿入用紙のトレイとしては、タブ紙（インデックス紙）がセットされている手差しトレイが選択された（図１２（ｃ）（１０））とする（図１１Ｓ７）。すなわち、挿入用紙としてタブ紙が載置されたトレイが指定された場合には、タブ紙が挿入用紙として指定された所定の頁位置に挿入されることになる。
【０１９９】
ここで、以上の応用機能設定画面や挿入モード設定画面やインターシートモード設定画面での設定が完了すれば、オペレータより「ＯＫ」（図１２（ｃ）（１２））が選択され（図１１Ｓ８でＹＥＳ）、タブ紙などの挿入用紙への片面複写が含まれた片面・両面混在の複写物（画像形成出力物）を得るための設定が完了する。そして、制御部１０１は、操作表示部１０３で入力された設定や選択を不揮発性メモリ１０５などに保持する。
【０２００】
そして、制御部１０１は、以上の設定に基づいて、ＡＤＦ１１０と画像読み取り部１２０とに指示を与え、画像読み取りを開始させる（図１１Ｓ９）。ここで、読み取られる原稿は、図５（ａ）に示すように、両面原稿＃１（１頁−２頁）、両面原稿＃２（３頁−４頁）、挿入用紙用の片面原稿、両面原稿＃３（５頁−６頁）、両面原稿＃４（７頁−８頁）、のようになっているとする。
【０２０１】
ここで、制御部１０１は、上述した各画面（基本画面、応用機能設定画面、インターシートモード設定画面）でオペレータより入力された設定を参照し、読み取る原稿が挿入用紙（片面複写頁）に該当するかを判断している（図１１Ｓ１０）。そして、以下のように、通常原稿の読み取りによる画像データ生成か、挿入用紙（片面複写頁）のための読み取りにによる画像データ生成か、に応じて読み取りを全原稿を読み取り終えるまで続ける（図１１Ｓ１５）。
【０２０２】
読み取る原稿が画像形成出力の挿入用紙（片面複写頁）に該当しない原稿であれば（図１１Ｓ１０でＮＯ）、制御部１０１の制御により、ＡＤＦ１１０で搬送しつつ、画像読み取り部１２０にて原稿の表面を読み取り（図１１Ｓ１１）、ＡＤＦ１１０で原稿を反転させる。続いて、ＡＤＦ１１０で同じ原稿を原稿を搬送しつつの裏面を読み取り（図１１Ｓ１２）、反転して排紙する。ここでは、両面原稿＃１と両面原稿＃２との２枚の原稿をこのようにして、それぞれ表面と裏面とについて読み取って画像データを生成する（図５（ｂ）参照）。このようにして読み取りにより得られた画像データは、制御部１０１によって画像メモリ１０６に格納される。
【０２０３】
そして、つぎの３枚目は、画像形成出力においては挿入用紙（片面複写頁）に該当するので（図１１Ｓ１０でＹＥＳ）、制御部１０１は、片面複写挿入する際の原稿がタブ紙である場合にはタブ部分に相当するだけ読み取り領域を延長する（図１１Ｓ１３）。そして、片面複写挿入の設定であるので、制御部１０１の指示により、ＡＤＦ１１０で搬送しつつ、画像読み取り部１２０にてタブ紙である原稿の表面を読み取り（図１１Ｓ１４）、ＡＤＦ１１０でそのまま排紙する（図５（ｂ）参照）。
【０２０４】
その後、両面原稿＃３と両面原稿＃４は画像形成出力で挿入用紙（片面複写頁）に該当しないので（図１１Ｓ１０でＮＯ）、制御部１０１の制御により、ＡＤＦ１１０で搬送しつつ、画像読み取り部１２０にて原稿の表面を読み取り（図１１Ｓ１１）、ＡＤＦ１１０で原稿を反転させる。続いて、ＡＤＦ１１０で同じ原稿を原稿を搬送しつつの裏面を読み取り（図１１Ｓ１２）、反転して排紙する（図５（ｂ）参照）。
【０２０５】
なお、読み取り動作で得た画像データは、読み取り処理部１０７で読み取り時の画像処理を実行した後、制御部１０１の指示に基づいて、画像メモリ１０６にジョブ単位で格納される。
【０２０６】
以上の読み取りでは、タブ原稿などの片面原稿が含まれた片面・両面混在の原稿について、専用のセンサを用いることなく、また、束分割読み取りなどによって生産性を低下させることなく、一括読み取りで効率的に読み取ることが可能になる。
【０２０７】
そして、制御部１０１は、以上の画像読み取りの完了に応じて、書き込み処理部１０８とプリントエンジン１８０とに指示を与え、画像形成を開始させる（図１１Ｓ１６）。なお、全ての原稿の読み取りが完了しなくても、少なくとも１枚目の両面原稿＃１の読み取りが完了した時点で、画像形成を開始することが可能である。
【０２０８】
ここで、画像形成は、図１３（ａ）に示した原稿（両面原稿＃１（１頁−２頁）、両面原稿＃２（３頁−４頁）、挿入用紙用の片面原稿（タブ紙）、両面原稿＃３（５頁−６頁）、両面原稿＃４（７頁−８頁））についての設定（両面複写、両面複写、片面複写、両面複写、両面複写、）に従った画像形成出力を得るように行う。
【０２０９】
ここで、制御部１０１は、上述した各画面（基本画面、応用機能設定画面、インターシートモード設定画面）でのオペレータからの設定の入力を参照し、画像形成する記録用紙が、通常の記録用紙であるか挿入用紙であるかを判断している（図１１Ｓ１７）。
【０２１０】
そして、制御部１０１は、以下のように通常の記録用紙か、挿入用紙かに応じて異なる画像形成を、全ての用紙に対して、該当するジョブの全ての画像データを画像形成し終わるまで続ける（図１１Ｓ２２）。
【０２１１】
画像形成すべき用紙が挿入用紙でなければ（図１１Ｓ１７でＮＯ）、制御部１０１の制御により、通常の記録用紙の表面に原稿表面の画像データに応じた画像形成をした後、反転搬送をして、記録用紙の裏面に原稿裏面の画像データに応じた画像形成を行い（図１１Ｓ１８）、そのままの状態でストレート排紙する（図１１Ｓ１９）。
【０２１２】
ここでは、記録用紙＃１（１頁−２頁）と記録用紙＃２（３頁−４頁）との２枚の記録用紙について、このようにして反転搬送を伴う両面画像形成を実行する（図１３（ｃ）（ｄ）参照）。
【０２１３】
ここで、３枚目の記録用紙は挿入用紙であるので（図１１Ｓ１７でＹＥＳ）、制御部１０１は、挿入用紙として指定されたトレイから給紙した挿入用紙であって、画像形成すると設定された面に画像形成（図１１Ｓ２０）をする。そして、画像形成面の設定に応じて、片面画像形成であれば反転部６３で挿入用紙を反転させてから排紙し、両面画像形成であればストレート排紙する（図１１Ｓ２１）。また、白紙挿入の場合は、画像形成は行わず、片面画像形成の搬送路と反転部６３とを挿入用紙が通過する。
【０２１４】
そして、４〜５枚目の記録用紙は挿入用紙でないので（図１１Ｓ１７でＮＯ）、制御部１０１の制御により、通常の記録用紙の表面に原稿表面の画像データに応じた画像形成をした後、反転搬送をして、記録用紙の裏面に原稿裏面の画像データに応じた画像形成を行い（図１１Ｓ１８）、そのままの状態でストレート排紙する（図１１Ｓ１９）。
【０２１５】
このようにして、原稿の両面複写を通常の記録用紙に行うか、原稿の設定された面の複写を挿入用紙に行うか、あるいは、白紙挿入紙を挿入するか、を該当するジョブの全ての画像データを画像形成し終わるまで続ける（図１１Ｓ２２、図１３（ｃ）（ｄ）参照）。
【０２１６】
以上のように、この第二の実施形態では、操作表示部１０３での指定に応じて、１つのジョブとして片面読み取りと両面読み取りとを混在した状態の原稿読み取りを行うように画像読み取り部１２０が制御され、読み取りにより得られた画像データについての画像形成が、１つのジョブとして片面画像形成と両面画像形成とを混在した状態で実行される。このため、片面読み取り／両面読み取り、片面画像形成／両面画像形成、を混在して実行する際に、複数のジョブとして扱うプログラミングジョブとしての動作および制御が不要になり、一括した一部としての読み取りと画像形成とで実行できる。この結果、片面読み取り／両面読み取り、片面画像形成／両面画像形成を混在させて実行する際に、束分割読み取りなどによって生産性を低下させることなく効率的に実行することが可能になる。
【０２１７】
また、この第二の実施形態では、操作表示部１０３での指定に応じて、１つのジョブとして片面読み取りと両面読み取りとを混在した状態の原稿読み取りを行うように画像読み取り部１２０が制御され、読み取りにより得られた画像データについての画像形成が、複数のトレイからの給紙が選択的に切り替えられつつ、１つのジョブとして片面画像形成と両面画像形成とを混在した状態で実行される。このため、片面読み取り／両面読み取り、複数のトレイからの給紙を伴う片面画像形成／両面画像形成、を混在して実行する際に、複数のジョブとして扱うプログラミングジョブとしての動作および制御が不要になり、一括した一部としての読み取りと画像形成とで実行できる。この結果、片面読み取り／両面読み取り、片面画像形成／両面画像形成を混在させて実行する際に、束分割読み取りなどによって生産性を低下させることなく効率的に実行することが可能になる。
【０２１８】
また、この第二の実施形態では、両面画像形成中に含める片面画像形成についての指定、両面画像形成中に含める片面画像形成の際の記録用紙のトレイについての指定、両面原稿読み取り中に含める片面原稿読み取りについての指定、の選択を操作表示部１０３に入力するよう促す表示を行っており、以上の表示に応じた指定の入力がなされると、両面画像形成中に含める片面画像形成、両面画像形成中に含める片面画像形成の際の指定された記録用紙のトレイからの給紙、両面原稿読み取り中に含める片面原稿読み取り、を実行するように制御している。このため、片面読み取り／両面読み取り、複数のトレイからの給紙を伴う片面画像形成／両面画像形成、を混在して実行する際に、複数のジョブとして扱うプログラミングジョブとしての動作および制御が不要になり、一括した一部としての読み取りと画像形成とで実行できる。この結果、片面読み取り／両面読み取り、片面画像形成／両面画像形成を混在させて実行する際に、束分割読み取りなどによって生産性を低下させることなく効率的に実行することが可能になる。
【０２１９】
なお、この第二の実施形態においても、制御部１０１は、挿入用紙が両面画像形成不可か否かを、ユーザによる挿入用紙への画像形成面指示（両面か、片面かの指示）または白紙挿入指示あるいは挿入用紙の媒体の種類に応じて判断することもできる。挿入用紙の媒体の種類に応じて判断する場合には、ユーザが入力する媒体の種類に応じて判断することもできるが、予め挿入用紙が収容されているトレイと媒体の種類とを対応づけて記憶しておき、用いる挿入用紙の収容されているトレイの選択に応じて、記憶されている媒体の種類を読み出すことにより判断することもできる。なお、挿入用紙の媒体の種類が、タブ紙、裏紙（すでに裏面に画像が形成されている用紙、プリプリント済みの用紙）および厚紙の少なくとも一つを満足する場合に、両面画像形成不可と判断することが好ましい。
【０２２０】
〈第二の実施形態におけるその他の態様〉
なお、以上の実施形態の具体例では、説明を簡略化するために画像形成における循環枚数を１としていたが、循環枚数が複数であっても、束分割読み取りなどによって生産性を低下させることなく一括読み取りによって効率的に得ることが可能である。
【０２２１】
また、以上の実施形態の具体例では、両面原稿を読み取り両面画像形成する際に、操作表示部１０３に入力された設定により片面複写の挿入用紙の挿入を実行するようにしていたが、片面原稿を読み取り両面画像形成する際に、操作表示部１０３に入力された設定により片面複写の挿入用紙の挿入を実行することも可能である。
【０２２２】
また、以上の第二の実施形態の具体例では、両面原稿を読み取り両面画像形成する際に、操作表示部１０３に入力された設定により異なるトレイから挿入用紙を給紙するように選択したが、本文の記録用紙と同じトレイの用紙を挿入用紙として用いることも可能である。
【０２２３】
〈第三の実施形態〉
以上の第一の実施形態と第二の実施形態では、複写機を具体例としていたが、本発明はプリンタなどの画像形成装置にも適用することができる。すなわち、この第三の実施形態では、外部からの画像データを受信して画像形成出力を得るプリンタなどの画像形成装置を具体例とする。
【０２２４】
なお、図１および図２において、ＡＤＦ１１０（１０）、画像読み取り部１２０（２０）、読み取り処理部１０７といった原稿の画像を読み取る手段を除いた部分が、プリンタなどの画像形成装置に該当する。
【０２２５】
すなわち、この第三の実施形態の画像形成装置では、複数のトレイのいずれかに収納された記録用紙を選択的に給紙して、該記録用紙の両面に前記画像データに応じた画像を形成する機能を有する画像形成手段としてのプリントエンジンと、画像形成に使用される記録用紙とは異なる挿入用紙の指定をインターシートモードとして受け付ける機能を有する指示入力手段および表示手段としての操作表示部１０３と、画像形成を制御する制御手段としての制御部１０１と、を少なくとも備えているとする。
【０２２６】
なお、この第三の実施形態においても、制御部１０１は、挿入用紙が両面画像形成不可か否かを、ユーザによる挿入用紙への画像形成面指示（両面か、片面かの指示）または白紙挿入指示あるいは挿入用紙の媒体の種類に応じて判断することもできる。挿入用紙の媒体の種類に応じて判断する場合には、ユーザが入力する媒体の種類に応じて判断することもできるが、予め挿入用紙が収容されているトレイと媒体の種類とを対応づけて記憶しておき、用いる挿入用紙の収容されているトレイの選択に応じて、記憶されている媒体の種類を読み出すことにより判断することもできる。なお、挿入用紙の媒体の種類が、タブ紙、裏紙（すでに裏面に画像が形成されている用紙、プリプリント済みの用紙）および厚紙の少なくとも一つを満足する場合に、両面画像形成不可と判断することが好ましい。
【０２２７】
以下、図１４のフローチャートを参照して、この第三の実施形態の画像形成装置についての動作説明を行う。
このような画像形成装置において、画像データに基づいて画像形成を実行する際に、
制御部１０１は、基本画面設定（図１４Ｓ１）にて、「インターシートモードを実行しますか？」などと、インターシートモードの実行有無についての問い合わせをユーザに対して操作表示部１０３に表示する。
【０２２８】
ここで、両面画像形成でない場合（図１４Ｓ２でＮＯ）、片面画像形成であるため、制御部１０１は片面処理などの別処理を実行する（図１４Ｓ３）。なお、片面画像形成処理については、この実施形態での詳細な説明は省略する。同様に、インターシートモードでない場合（図１４Ｓ４でＮＯ）、通常の画像形成であるため、制御部１０１は別処理を実行する（図１４Ｓ３）。なお、インターシートモードでない画像形成処理については、この実施形態での詳細な説明は省略する。
【０２２９】
オペレータにより操作表示部１０３にインターシートモードを実行する旨の選択が入力された場合（図１４Ｓ４でＹ）、制御部１０１は、挿入用紙を両面プリント挿入にするか、片面プリント挿入にするか、白紙挿入にするか、の問い合わせメッセージを操作表示部１０３に表示する（図１４Ｓ５）。
【０２３０】
オペレータにより操作表示部１０３に、両面プリント挿入／片面プリント挿入／白紙挿入のいずれかを選択する旨の選択が入力された場合（図１４Ｓ５）、制御部１０１は、挿入用紙を挿入するページの問い合わせメッセージを操作表示部１０３に表示する（図１４Ｓ６）。
【０２３１】
オペレータにより操作表示部１０３に、挿入用紙の挿入頁を選択する旨の選択が入力された場合（図１４Ｓ６）、制御部１０１は、挿入用紙を給紙するトレイの問い合わせメッセージを操作表示部１０３に表示する（図１４Ｓ７）。
【０２３２】
ここで、以上のオペレータによる操作表示部１０３でのインターシートモードの選択の設定が完了すれば（図１４Ｓ８でＹＥＳ）、制御部１０１は、以上の設定に応じて、書き込み処理部１０８とプリントエンジン１８０とに指示を与え、画像形成を開始させる（図１４Ｓ１６）。
【０２３３】
ここで、制御部１０１は、上述したオペレータからインターシートモードに関する設定の入力を参照し、画像形成する記録用紙が、通常の記録用紙であるか挿入用紙であるかを判断している（図１４Ｓ１０）。
【０２３４】
そして、制御部１０１は、以下のように通常の記録用紙か、挿入用紙かに応じて異なる画像形成を、全ての用紙に対して、該当するジョブの全ての画像データを画像形成し終わるまで続ける（図１４Ｓ１６）。
【０２３５】
画像形成すべき用紙が挿入用紙でなければ（図１４Ｓ１０でＮＯ）、制御部１０１の制御により、通常の記録用紙の表面に原稿表面の画像データに応じた画像形成をした後、反転搬送をして、記録用紙の裏面に原稿裏面の画像データに応じた画像形成を行い（図１４Ｓ１１）、そのままの状態でストレート排紙する（図１４Ｓ１２）。
【０２３６】
ここで、画像形成すべき用紙が挿入用紙であれば（図１４Ｓ１０でＹ）、制御部１０１の制御により、挿入用紙のタブ検知を行い（図１４Ｓ１３）、オペレータからの設定に応じて挿入用紙に片面画像形成あるいは両面画像形成あるいは白紙として画像形成搬送経路を搬送する（図１４Ｓ１４）。すなわち、制御部１０１は、挿入用紙として指定されたトレイから給紙した挿入用紙であって、画像形成すると設定された面に画像形成をする。そして、画像形成面の設定に応じて、片面画像形成であれば反転部６３で挿入用紙を反転させてから排紙し、両面画像形成であればストレート排紙する（図１４Ｓ１５）。また、白紙挿入の場合は、画像形成は行わず、片面画像形成の搬送路と反転部６３とを挿入用紙が通過する。
【０２３７】
このようにして、原稿の両面複写を通常の記録用紙に行うか、原稿の設定された面の複写を挿入用紙に行うか、あるいは、白紙挿入紙を挿入するか、を該当するジョブの全ての画像データを画像形成し終わるまで続ける（図１４Ｓ１６）。
【０２３８】
なお、タブ検知の結果、挿入用紙がタブを有していて片面画像形成しかできないと判明した場合には、制御部１０１の制御により、オペレータから挿入用紙に対して両面画像形成が設定されている場合であっても、片面画像形成を優先して実行する。
【０２３９】
以上のように、プリンタ等の画像形成装置で画像データに基づいた画像形成を実行する際に、操作表示部１０３にインターシートモードの選択をオペレータに促す表示をし、操作表示部１０３に入力された設定に従ってインターシートモードの画像形成を実行することで、インターシートモード時の挿入用紙について片面画像形成／両面画像形成についての指定の選択が入力され、１つのジョブとして記録用紙への画像形成と挿入用紙への画像形成とが実行されるため、アプリケーションプログラム側でインターシートモードの指定することなく効率的に実行することが可能になる。
【０２４０】
また、記録用紙への画像形成中に挿入する挿入用紙についての片面／両面画像形成についての指定の選択を入力するよう促す表示を行い、該指定の選択が入力されると、１つのジョブとして、記録用紙への画像形成と挿入用紙への画像形成とを行うように画像形成手段を制御しており、この際に、タブ検知手段での検知結果に応じて、挿入用紙への画像形成を片面画像形成にするように画像形成手段を制御することで、挿入用紙がタブ紙の場合にも片面画像形成とするような適切な制御がなされるため、アプリケーションプログラム側でインターシートモードの指定することなく効率的に実行することが可能になる。
【図面の簡単な説明】
【０２４１】
【図１】本発明の第一の実施形態の画像形成装置の電気的な構成を示す機能ブロック図である。
【図２】本発明の第一の実施形態の画像形成装置の機械的な構成を示す構成図である。
【図３】本発明の第一の実施形態の動作を示すフローチャートである。
【図４】本発明の第一の実施形態の動作を実現する際の画面説明図である。
【図５】本発明の第一の実施形態の動作を実現する際のタイムチャートである。
【図６】本発明の第一の実施形態の動作を実現する際のタイムチャートである。
【図７】本発明の第一の実施形態におけるデータ構成を示す説明図である。
【図８】本発明の第一の実施形態の動作を示すフローチャートである。
【図９】本発明の第一の実施形態の動作を示すフローチャートである。
【図１０】本発明の第一の実施形態の動作を示すフローチャートである。
【図１１】本発明の第二の実施形態の動作を示すフローチャートである。
【図１２】本発明の第二の実施形態の動作を実現する際の画面説明図である。
【図１３】本発明の第二の実施形態の動作を実現する際のタイムチャートである。
【図１４】本発明の第三の実施形態の動作を示すフローチャートである。
【符号の説明】
【０２４２】
１００  画像形成装置
１０１  制御部
１０２  インタフェース
１０３  操作表示部
１０４  プログラムメモリ
１０５  不揮発性メモリ
１０６  画像メモリ
１０７  読み取り処理部
１０８  書き込み処理部
１２０  画像読み取り部
１８０  プリントエンジン
【図１】
2006145888.tif 000003
【図２】
2006145888.tif 000004
【図３】
2006145888.tif 000005
【図５】
2006145888.tif 000006
【図６】
2006145888.tif 000007
【図７】
2006145888.tif 000008
【図８】
2006145888.tif 000009
【図９】
2006145888.tif 000010
【図１０】
2006145888.tif 000011
【図１１】
2006145888.tif 000012
【図１３】
2006145888.tif 000013
【図１４】
2006145888.tif 000014
【図４】
2006145888.tif 000015
【図１２】
2006145888.tif 000016